(57)【要約】【課題】高変倍比で、薄型で、広角端での画角が広く、且つ、諸収差が良好に補正されたズームレンズと撮像装置を提供する。【解決手段】第１正レンズ群と、第１負レンズ群と、絞りと、第２正レンズ群とを有し、第１正レンズ群と第１負レンズ群とが、物体側から像側にこの順で配置され、第２正レンズ群は第１負レンズ群よりも像側に配置され、絞りは第１負レンズ群と第２正レンズ群の間に配置され、広角端から望遠端への変倍時に第１正レンズ群は静止し、第１負レンズ群と第２正レンズ群は移動し、合焦時、第１正レンズ群は静止し、第１正レンズ群は光路を折り曲げる反射面を有する反射部材と第１正レンズ群物体側系とを備え、第１正レンズ群物体側系は反射面よりも物体側に位置すると共に負屈折力を有し、以下の条件式を満足する。  ３．７＜ｆt／ｆw  １．５５＜｜Ｄ1N／Ｄ2P｜＜２．５  １．７５＜｜ｆ2P／Ｄ2P｜＜２．５【選択図】図１
2014174526.tif 000002
【特許請求の範囲】
【請求項１】
正屈折力の第１正レンズ群と、負屈折力の第１負レンズ群と、絞りと、正屈折力の第２正レンズ群と、を有し、
前記第１正レンズ群と、前記第１負レンズ群とが、物体側から像側に、この順で配置され、
前記第２正レンズ群は、前記第１負レンズ群よりも像側に配置され、
前記絞りは、前記第１負レンズ群と前記第２正レンズ群の間に配置され、
前記第１正レンズ群、前記第１負レンズ群及び前記第２正レンズ群は、それぞれレンズ成分を有し、
広角端から望遠端への変倍時に、
前記第１正レンズ群は静止し、
前記第１負レンズ群は像側に移動して前記絞りに近づき、
前記第２正レンズ群は物体側に移動して前記絞りに近づき、
合焦時、前記第１正レンズ群は静止し、
前記第１正レンズ群は、光路を折り曲げる反射面を有する反射部材と、第１正レンズ群物体側系と、を備え、
前記第１正レンズ群物体側系は、前記反射面よりも物体側に位置すると共に、負屈折力を有し、
以下の条件式（１）、（２）及び（３）を満足することを特徴とするズームレンズ。
３．７＜ｆt／ｆw      （１）
１．５５＜｜Ｄ1N／Ｄ2P｜＜２．５      （２）
１．７５＜｜ｆ2P／Ｄ2P｜＜２．５      （３）
ただし、
ｆtは、望遠端における前記ズームレンズ全系の焦点距離、
ｆwは、広角端における前記ズームレンズ全系の焦点距離であって、
いずれも無限遠物体に合焦したときの焦点距離、
Ｄ1N＝Ｄ1NIt−Ｄ1NIw、Ｄ2P＝Ｄ2PIt−Ｄ2PIwであり、
Ｄ1NItは、望遠端における前記第１負レンズ群と像面との間の距離、
Ｄ1NIwは、広角端における前記第１負レンズ群と像面との間の距離、
Ｄ2PItは、望遠端における前記第２正レンズ群と像面との間の距離、
Ｄ2PIwは、広角端における前記第２正レンズ群と像面との間の距離であって、
いずれも無限遠物体に合焦したときの距離、
ｆ2Pは、前記第２正レンズ群の焦点距離、
前記レンズ成分は、空気と接する屈折面として物体側面と像側面の２面を有している、
である。
【請求項２】
以下の条件式（４）を満足することを特徴とする請求項１に記載のズームレンズ。
１．５５＜｜Ｄ1NS／Ｄ2PS｜＜２．５      （４）
ただし、
Ｄ1NS＝Ｄ1NSt−Ｄ1NSw、Ｄ2PS＝Ｄ2PSt−Ｄ2PSwであり、
Ｄ1NStは、望遠端における前記第１負レンズ群と前記絞りとの間の距離、
Ｄ1NSwは、広角端における前記第１負レンズ群と前記絞りとの間の距離、
Ｄ2PStは、望遠端における前記第２正レンズ群と前記絞りとの間の距離、
Ｄ2PSwは、広角端における前記第２正レンズ群と前記絞りとの間の距離であって、
いずれも、無限遠物体に合焦した時の距離、
である。
【請求項３】
前記絞りは、広角端から望遠端への変倍時に位置が固定であることを特徴とする請求項１または２に記載のズームレンズ。
【請求項４】
前記第１負レンズ群よりも像側に位置するレンズ群のうちで、前記第１負レンズ群の最も近くに位置するレンズ群は、前記第２正レンズ群であることを特徴とする請求項１から３の何れか１項に記載のズームレンズ。
【請求項５】
前記第２正レンズ群よりも像側に、負屈折力の第２負レンズ群が配置され、更に、
前記第２負レンズ群よりも像側に、正屈折力の第３正レンズ群が配置され、
広角端から望遠端への変倍時に、
前記第２正レンズ群と前記第２負レンズ群との間の距離は変化し、
前記第２負レンズ群と前記第３正レンズ群との間の距離は変化することを特徴とする請求項１から４の何れか１項に記載のズームレンズ。
【請求項６】
前記第２負レンズ群は、合焦時に移動することを特徴とする請求項５に記載のズームレンズ。
【請求項７】
望遠端における前記第２負レンズ群の位置は、広角端における位置よりも前記第２正レンズ群側であり、
前記第３正レンズ群は、広角端から望遠端への変倍時に静止していることを特徴とする請求項５または６に記載のズームレンズ。
【請求項８】
前記ズームレンズは、物体側から像側に順に、前記第１正レンズ群、前記第１負レンズ群、前記第２正レンズ群、前記絞り、前記第２負レンズ群、前記第３正レンズ群を有する５群ズームレンズであることを特徴とする請求項５から７の何れか１項に記載のズームレンズ。
【請求項９】
前記第１正レンズ群は、物体側から順に、負レンズ成分と、前記反射部材と、正レンズ成分と、からなり、
前記負レンズ成分は前記第１正レンズ群物体側系であり、
前記負レンズ成分では、前記像側面の形状が凹形状であり、
前記正レンズ成分は第１正レンズ群像側系であり、前記第１正レンズ群像側系は前記反射面よりも像側に位置し、
前記正レンズ成分では、前記物体側面の形状と前記像側面の形状が、共に凸形状であり、
前記反射部材は、プリズムからなることを特徴とする請求項１から８の何れか１項に記載のズームレンズ。
【請求項１０】
前記第１正レンズ群は以下の条件式（５）を満足することを特徴とする請求項９に記載のズームレンズ。
０．５＜Ｄ1PN1PP／ｆ1P＜１．０      （５）
ただし、
Ｄ1PN1PPは、前記第１正レンズ群の前記負レンズ成分と前記第１正レンズ群の前記正レンズ成分との間の光軸に沿った距離、
ｆ1Pは、前記第１正レンズ群の焦点距離、
である。
【請求項１１】
前記第１正レンズ群の前記正レンズ成分の前記物体側面と前記像側面が、共に非球面であることを特徴とする請求項９または１０に記載のズームレンズ。
【請求項１２】
前記第１負レンズ群は、最も物体側に配置された負レンズ成分と、最も像側に配置された正レンズ成分と、を有し、
前記第１負レンズ群の前記最も物体側に配置された負レンズ成分では、前記物体側面の形状と前記像側面の形状が、共に凹形状であることを特徴とする請求項１から１１の何れか１項に記載のズームレンズ。
【請求項１３】
前記第１負レンズ群の前記最も物体側に配置された負レンズ成分の前記物体側面と前記像側面が、共に非球面であり、
前記第１負レンズ群の前記最も像側に配置された正レンズ成分の前記像側面が非球面であることを特徴とする請求項１２に記載のズームレンズ。
【請求項１４】
前記第１負レンズ群の前記最も像側に配置された正レンズ成分が単レンズであり、
前記単レンズは以下の条件式（６）を満足することを特徴とする請求項１２または１３に記載のズームレンズ。
ν1NP＜２９      （６）
ただし、
ν1NPは前記単レンズのｄ線におけるアッベ数、
である。
【請求項１５】
前記第１負レンズ群の前記最も像側に配置された正レンズ成分が接合レンズであり、
前記接合レンズは、物体側から順に、両凸正レンズと、メニスカス負レンズと、を有することを特徴とする請求項１２または１３に記載のズームレンズ。
【請求項１６】
前記第２正レンズ群は、物体側から順に、正レンズ成分と、接合レンズと、からなり、
前記第２正レンズ群の前記正レンズ成分では、前記物体側面の形状と前記像側面の形状が、共に凸形状であり、
前記第２正レンズ群の前記接合レンズは、物体側から順に、像側に凹面を向けた負レンズと、両凸正レンズと、からなることを特徴とする請求項１から１５の何れか１項に記載のズームレンズ。
【請求項１７】
前記第２正レンズ群の前記正レンズ成分の前記物体側面と前記像側面が、共に非球面であることを特徴とする請求項１６に記載のズームレンズ。
【請求項１８】
前記第２負レンズ群は、１つの負レンズ成分からなり、
前記第２負レンズ群の前記負レンズ成分では、前記像側面の形状が凹形状であることを特徴とする請求項１から１７の何れか１項に記載のズームレンズ。
【請求項１９】
前記第３正レンズ群は、１つの正レンズ成分からなり、
前記第３正レンズ群の前記正レンズ成分では、前記物体側面の形状と前記像側面の形状が、共に凸形状であることを特徴とする請求項１から１８の何れか１項に記載のズームレンズ。
【請求項２０】
前記第３正レンズ群の前記正レンズ成分の前記物体側面と前記像側面が、共に非球面であることを特徴とする請求項１９に記載のズームレンズ。
【請求項２１】
前記第１正レンズ群は、前記反射面よりも像側に位置する第１正レンズ群像側系を備え、
以下の条件式（７）を満足することを特徴とする請求項１から２０の何れか１項に記載のズームレンズ。
４．５≦｜ｆ1Po｜×ｆ1Pi／ＩＨt2≦７．５      （７）
ただし、
ｆ1Poは、前記第１正レンズ群物体側系の焦点距離、
ｆ1Piは、前記第１正レンズ群像側系の焦点距離、
ＩＨtは、望遠端における無限遠物体に合焦した時の最大像高、
である。
【請求項２２】
前記反射部材はプリズムであり、
以下の条件式（８）、（９）を満足することを特徴とする請求項１から２１の何れか１項に記載のズームレンズ。
０．７≦ｔａｎωw−（Ｌpri／Ｌw）≦１．３      （８）
３．５≦ＤＴ／（ｆ1Po／ＩＨt）≦１６      （９）
ただし、
ωwは、広角端において無限遠物体に合焦した時の最大半画角、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
Ｌwは、前記ズームレンズ全系の光軸に沿った全長に、空気換算したバックフォーカス長を加えた距離であって、該距離は、広角端において無限遠物体に合焦した時の距離であり、前記全長は、前記ズームレンズの最も物体側のレンズ面から最も像側のレンズ面までの距離、
ＤＴ＝（ＩＨw−ｆw×ｔａｎωw）／（ｆw×ｔａｎωw）×１００であり、単位は％であり、
ｆ1Poは、前記第１正レンズ群物体側系の焦点距離、
ＩＨtは、望遠端において無限遠物体に合焦した時の最大像高、
ＩＨwは、広角端において無限遠物体に合焦した時の最大像高、
ｆwは、広角端において無限遠物体に合焦した時の前記ズームレンズ全系の焦点距離、
である。
【請求項２３】
以下の条件式（１０）、（１１）を満足することを特徴とする請求項１から２２の何れか１項に記載のズームレンズ。
４．２≦｜（ｆ1Po／ＩＨt）×（ｆ1P／ＩＨt）／ｔａｎωw｜≦１１．６    （１０）
５．６≦｜（ｆ1Po／ｆw）×（ｆ1P／ｆw）｜≦１１．５      （１１）
ただし、
ｆ1Poは、前記第１正レンズ群物体側系の焦点距離、
ｆ1Pは、前記第１正レンズ群の焦点距離、
ＩＨtは、望遠端において無限遠物体に合焦した時の最大像高、
ωwは、広角端において無限遠物体に合焦した時の最大半画角、
ｆwは、広角端において無限遠物体に合焦した時の前記ズームレンズ全系の焦点距離、
である。
【請求項２４】
以下の条件式（１２）を満足することを特徴とする請求項１から２３の何れか１項に記載のズームレンズ。
１．０≦｜（ｆ1Po／ＩＨt）／（ｔａｎωw）2｜≦３．７      （１２）
ただし、
ｆ1Poは、前記第１正レンズ群物体側系の焦点距離、
ＩＨtは、望遠端において無限遠物体に合焦した時の最大像高、
ωwは、広角端において無限遠物体に合焦した時の最大半画角、
である。
【請求項２５】
前記反射部材はプリズムであり、
以下の条件式（１３）を満足することを特徴とする請求項１から２４の何れか１項に記載のズームレンズ。
１．５≦（Ｌpri／ＩＨt）×（ｆw／ＩＨt）／ｔａｎωw≦２．８      （１３）
ただし、
Ｌpriは、前記プリズムの光軸に沿った全長であって、該全長は、前記プリズムを構成する光学面のうちの、前記反射面よりも物体側にある光学面から前記反射面よりも像側にある光学面までの距離、
ＩＨtは、望遠端において無限遠物体に合焦した時の最大像高、
ｆwは、広角端において無限遠物体に合焦した時の前記ズームレンズ全系の焦点距離、
ωwは、広角端において無限遠物体に合焦した時の最大半画角、
である。
【請求項２６】
以下の条件式（１４）を満足することを特徴とする請求項１から２５の何れか１項に記載のズームレンズ。
１．２≦｜ｆ1Po／ＩＨt｜≦３．６      （１４）
ただし、
ｆ1Poは、前記第１正レンズ群物体側系の焦点距離、
ＩＨtは、望遠端において無限遠物体に合焦した時の最大像高、
である。
【請求項２７】
以下の条件式（１５）を満足することを特徴とする請求項１から２６の何れか１項に記載のズームレンズ。
ωw≧４２°      （１５）
ただし、
ωwは、広角端において無限遠物体に合焦した時の最大半画角、
である。
【請求項２８】
請求項１から２７の何れか１項に記載のズームレンズと、
前記ズームレンズにより形成された像を電気信号に変換する撮像素子と、を備えることを特徴とする撮像装置。
【発明の詳細な説明】
【技術分野】
【０００１】
本発明は、ズームレンズ及びそれを備えた撮像装置に関する。
【背景技術】
【０００２】
電子撮像素子を用いたデジタルカメラなどの撮像装置には、小型化や軽量化が求められている。これらの要求に対応するズームレンズとして、光学系の光路中に反射面を配置し、この反射面での反射により光路を折り曲げるズームレンズが知られている。光学系の光路を折り曲げる構成により、光学系はもちろんのこと、撮像装置の薄型化や小型化ができる。そのため、このようなズームレンズを採用した撮像装置が普及している。
【０００３】
また、ズームレンズには、高い（大きい）変倍比が求められている。ズームレンズの変倍比が高いと、より多様な撮影シーンへの対応が可能となるからである。
【０００４】
光路を折り曲げる構成で、且つ、比較的広画角であるズームレンズ及びこのズームレンズを備えた撮像装置が、特許文献１、２、３及び４に開示されている。
【先行技術文献】
【特許文献】
【０００５】
【特許文献１】特開２００９−１２８６２０号公報
【特許文献２】特開２０１１−０９５５０４号公報
【特許文献３】特開２０１１−０９５５０５号公報
【特許文献４】特開２０１１−０１７７７２号公報
【発明の概要】
【発明が解決しようとする課題】
【０００６】
ズームレンズを用いた撮影としては、例えば、大きな建造物の撮影や、広大な景色を背景にした記念撮影や、水中での近接撮影や、デフォルメ効果を期待した撮影などがある。これらの撮影に用いられるズームレンズでは、広角端における画角が広いことが好ましい。加えて、これら以外の多様な撮影シーンへ対応するためには、ズームレンズにおいて、十分な変倍比が確保されていることが好ましい。このように、ズームレンズには、広角端における広画角化と高変倍比化の両立が求められている。
【０００７】
また、撮像装置が小型であれば、撮像装置を携帯しやすくなる。そのため、撮像装置自体の小型化に加えて、ズームレンズについても薄型化が求められている。
【０００８】
また、ズームレンズは、変倍のために移動する変倍レンズ群を有する。そのため、撮像装置には、変倍レンズ群を保持する機構や、変倍レンズ群を移動させる機構が必要になる。ここで、撮像装置の薄型化のためには、これらの機構を小さくする必要があるが、機構の小型化には、変倍レンズ群の小型化が必要になる。そこで、変倍レンズ群の有効口径を極力小さくすることが重要となる。
【０００９】
特許文献１、２、３及び４に開示されているズームレンズでは、広角端における画角が十分に広いとは言えない。そのため、広角端における画角を広くしようとすると、いずれかの変倍レンズ群において、軸外光線の光線高が高くなり過ぎる。また、変倍比を高くしようとすると、変倍レンズ群の移動量が大きくなりやすい。そのため、いずれかの変倍レンズ群において、軸外光線の光線高が高くなり過ぎる。その結果、ズームレンズの厚みや撮像装置の厚みが増大する。
【００１０】
本発明は、このような課題に鑑みてなされたものであって、高い変倍比を持ちながらも、光学系の厚みが薄く、広角端における画角が広く、且つ、諸収差が良好に補正されたズームレンズ及びこのズームレンズを備えた撮像装置の提供を目的とするものである。
【課題を解決するための手段】
【００１１】
上述した課題を解決し、目的を達成するために、本発明のズームレンズは、正屈折力の第１正レンズ群と、負屈折力の第１負レンズ群と、絞りと、正屈折力の第２正レンズ群と、を有し、
第１正レンズ群と、第１負レンズ群とが、物体側から像側に、この順で配置され、
第２正レンズ群は、第１負レンズ群よりも像側に配置され、
絞りは、第１負レンズ群と第２正レンズ群の間に配置され、
第１正レンズ群、第１負レンズ群及び第２正レンズ群は、それぞれレンズ成分を有し、
広角端から望遠端への変倍時に、
第１正レンズ群は静止し、
第１負レンズ群は像側に移動して絞りに近づき、
第２正レンズ群は物体側に移動して絞りに近づき、
合焦時、第１正レンズ群は静止し、
第１正レンズ群は、光路を折り曲げる反射面を有する反射部材と、第１正レンズ群物体側系と、を備え、
第１正レンズ群物体側系は、反射面よりも物体側に位置すると共に、負屈折力を有し、
以下の条件式（１）、（２）及び（３）を満足することを特徴とする。
３．７＜ｆt／ｆw      （１）
１．５５＜｜Ｄ1N／Ｄ2P｜＜２．５      （２）
１．７５＜｜ｆ2P／Ｄ2P｜＜２．５      （３）
ただし、
ｆtは、望遠端におけるズームレンズ全系の焦点距離、
ｆwは、広角端におけるズームレンズ全系の焦点距離であって、
いずれも無限遠物体に合焦したときの焦点距離、
Ｄ1N＝Ｄ1NIt−Ｄ1NIw、Ｄ2P＝Ｄ2PIt−Ｄ2PIwであり、
Ｄ1NItは、望遠端における第１負レンズ群と像面との間の距離、
Ｄ1NIwは、広角端における第１負レンズ群と像面との間の距離、
Ｄ2PItは、望遠端における第２正レンズ群と像面との間の距離、
Ｄ2PIwは、広角端における第２正レンズ群と像面との間の距離であって、
いずれも無限遠物体に合焦したときの距離、
ｆ2Pは、第２正レンズ群の焦点距離、
レンズ成分は、空気と接する屈折面として物体側面と像側面の２面を有している、
である。
【００１２】
また、本発明の撮像装置は、ズームレンズと、ズームレンズにより形成された像を電気信号に変換する撮像素子と、を備えることを特徴とする。
【発明の効果】
【００１３】
本発明によれば、高い変倍比を持ちながらも、光学系の厚みが薄く、広角端における画角が広く、且つ、諸収差が良好に補正されたズームレンズ及びこのズームレンズを備えた撮像装置を提供することができる。
【図面の簡単な説明】
【００１４】
【図１】本発明のズームレンズの実施例１の無限遠物点合焦時の広角端（ａ）、中間焦点距離状態（ｂ）、望遠端（ｃ）でのレンズ断面図である。
【図２】本発明のズームレンズの実施例２の無限遠物点合焦時の広角端（ａ）、中間焦点距離状態（ｂ）、望遠端（ｃ）でのレンズ断面図である。
【図３】本発明のズームレンズの実施例３の無限遠物点合焦時の広角端（ａ）、中間焦点距離状態（ｂ）、望遠端（ｃ）でのレンズ断面図である。
【図４】本発明のズームレンズの実施例４の無限遠物点合焦時の広角端（ａ）、中間焦点距離状態（ｂ）、望遠端（ｃ）でのレンズ断面図である。
【図５】本発明のズームレンズの実施例５の無限遠物点合焦時の広角端（ａ）、中間焦点距離状態（ｂ）、望遠端（ｃ）でのレンズ断面図である。
【図６】本発明のズームレンズの実施例６の無限遠物点合焦時の広角端（ａ）、中間焦点距離状態（ｂ）、望遠端（ｃ）でのレンズ断面図である。
【図７】実施例１の無限遠物点合焦時の収差図である。
【図８】実施例２の無限遠物点合焦時の収差図である。
【図９】実施例３の無限遠物点合焦時の収差図である。
【図１０】実施例４の無限遠物点合焦時の収差図である。
【図１１】実施例５の無限遠物点合焦時の収差図である。
【図１２】実施例６の無限遠物点合焦時の収差図である。
【図１３】ωｗを説明するための図である。
【図１４】本発明によるズームレンズを組み込んだデジタルカメラの概観を示す前方斜視図である。
【図１５】上記デジタルカメラの後方斜視図である。
【図１６】上記デジタルカメラの断面図である。
【図１７】上記デジタルカメラの主要部の内部回路の構成ブロック図である。
【発明を実施するための形態】
【００１５】
以下に、本発明にかかるズームレンズ及びこのズームレンズを備えた撮像装置の実施形態及び実施例を、図面に基づいて詳細に説明する。なお、この実施形態及び実施例によりこの発明が限定されるものではない。
【００１６】
以下の説明において、厚みとは、物体側からの光線がズームレンズに入射する方向の長さである。例えば、ズームレンズが反射部材を有する場合、ズームレンズの厚みは、最も物体側のレンズ面（物体側の屈折面）から反射部材までの長さになる。
【００１７】
本実施形態のズームレンズは、正屈折力の第１正レンズ群と、負屈折力の第１負レンズ群と、絞りと、正屈折力の第２正レンズ群と、を有し、第１正レンズ群と、第１負レンズ群とが、物体側から像側に、この順で配置され、第２正レンズ群は、第１負レンズ群よりも像側に配置され、絞りは、第１負レンズ群と第２正レンズ群の間に配置され、第１正レンズ群、第１負レンズ群及び第２正レンズ群は、それぞれレンズ成分を有し、広角端から望遠端への変倍時に、第１正レンズ群は静止し、第１負レンズ群は像側に移動して絞りに近づき、第２正レンズ群は物体側に移動して絞りに近づき、合焦時、第１正レンズ群は静止し、第１正レンズ群は、光路を折り曲げる反射面を有する反射部材と、第１正レンズ群物体側系と、を備え、第１正レンズ群物体側系は、反射面よりも物体側に位置すると共に、負屈折力を有し、以下の条件式（１）、（２）及び（３）を満足することを特徴とする。
３．７＜ｆt／ｆw      （１）
１．５５＜｜Ｄ1N／Ｄ2P｜＜２．５      （２）
１．７５＜｜ｆ2P／Ｄ2P｜＜２．５      （３）
ただし、
ｆtは、望遠端におけるズームレンズ全系の焦点距離、
ｆwは、広角端におけるズームレンズ全系の焦点距離であって、
いずれも無限遠物体に合焦したときの焦点距離、
Ｄ1N＝Ｄ1NIt−Ｄ1NIw、Ｄ2P＝Ｄ2PIt−Ｄ2PIwであり、
Ｄ1NItは、望遠端における第１負レンズ群と像面との間の距離、
Ｄ1NIwは、広角端における第１負レンズ群と像面との間の距離、
Ｄ2PItは、望遠端における第２正レンズ群と像面との間の距離、
Ｄ2PIwは、広角端における第２正レンズ群と像面との間の距離であって、
いずれも無限遠物体に合焦したときの距離、
ｆ2Pは、第２正レンズ群の焦点距離、
レンズ成分は、空気と接する屈折面として物体側面と像側面の２面を有している、
である。
【００１８】
本実施形態のズームレンズは、正屈折力の第１正レンズ群と、負屈折力の第１負レンズ群と、絞りと、正屈折力の第２正レンズ群と、を有し、第１正レンズ群と、第１負レンズ群とが、物体側から像側に、この順で配置され、第２正レンズ群は、第１負レンズ群よりも像側に配置され、絞りは、第１負レンズ群と第２正レンズ群の間に配置されている。
【００１９】
このような構成にすることで、ズームレンズの厚みを薄くできる。また、このような構成は、ズームレンズの全長の短縮化と、高い変倍比の確保に有利となる。また、屈折力配置（屈折力の並び）が正、負、正となっているため、屈折力配置の対称性を高めることが容易となる。そして、このような構成は、変倍時における軸外の収差変動を小さく抑えることに適する。よって、特に、非点収差やコマ収差について、変倍時に、これらの収差が良好に補正された状態を保つことが容易になる。
【００２０】
また、第１正レンズ群、第１負レンズ群及び第２正レンズ群は、それぞれレンズ成分を有している。ここで、レンズ成分は、空気と接する屈折面として物体側面と像側面の２面を有している。レンズ成分としては、例えば、単レンズや接合レンズがある。これらのレンズは、物体側面と像側面の２面で構成されている。また、反射部材が入射面、反射面及び出射面を有し、入射面と出射面の少なくとも一方がレンズ面である場合、このような反射部材もレンズ成分に含まれる。
【００２１】
また、広角端から望遠端への変倍時に、第１正レンズ群は静止し、第１負レンズ群は像側に移動して絞りに近づき、第２正レンズ群は物体側に移動して絞りに近づく。
【００２２】
第１負レンズ群と第２正レンズ群は、変倍時に移動する変倍レンズ群として機能する。第１負レンズ群と第２正レンズ群との間に絞りを配置することで、広角端にて、それぞれの変倍レンズ群に対して、絞りを適度に離すことができる。その結果、第１負レンズ群の有効口径と第２正レンズ群の有効口径が、共に大きくなることを抑えられる。加えて、望遠端にて第１負レンズ群と第２正レンズ群を絞りの近くに配置できるので、このようにすることは十分な変倍比の確保に有利となっている。なお、絞りは開口絞りであって、この絞りによって光学系のＦナンバが決まる。
【００２３】
また、上述の構成にすると、第１負レンズ群の屈折力と第２正レンズ群の屈折力の各々を大きくできるので、入射瞳を物体側に近づけられる。また、第１負レンズ群と第２正レンズ群の各々で、変倍作用を高められる。この結果、光学系を広画角化しても、第１正レンズ群の径を小さくできると共に、高い変倍比の確保がより容易となる。
【００２４】
また、第１正レンズ群は、変倍時だけでなく、合焦時も静止している。このようにすることで、駆動機構に対する負荷を軽減できる。また、ズームレンズや撮像装置内へのゴミの侵入を低減できるので、撮像素子へのゴミの付着を防止できる。また、ズームレンズにおける光学系（レンズ群）のレイアウトをより簡素化できる。その結果、より小型の撮像装置を実現できる。
【００２５】
また、第１正レンズ群は、光路を折り曲げる反射面を有する反射部材と、第１正レンズ群物体側系と、を備え、第１正レンズ群物体側系は、反射面よりも物体側に位置すると共に、負屈折力を有する。
【００２６】
第１正レンズ群物体側系の屈折力を負屈折力とすることで、広角端で広い画角を確保しつつ、反射部材の小型化ができる。これにより、第１正レンズ群の小型化が実現できる。
【００２７】
そして、以上の構成を備えた上で、以下の条件式（１）、（２）及び（３）を満足することが好ましい。
３．７＜ｆt／ｆw      （１）
１．５５＜｜Ｄ1N／Ｄ2P｜＜２．５      （２）
１．７５＜｜ｆ2P／Ｄ2P｜＜２．５      （３）
ただし、
ｆtは、望遠端におけるズームレンズ全系の焦点距離、
ｆwは、広角端におけるズームレンズ全系の焦点距離であって、
いずれも無限遠物体に合焦したときの焦点距離、
Ｄ1N＝Ｄ1NIt−Ｄ1NIw、Ｄ2P＝Ｄ2PIt−Ｄ2PIwであり、
Ｄ1NItは、望遠端における第１負レンズ群と像面との間の距離、
Ｄ1NIwは、広角端における第１負レンズ群と像面との間の距離、
Ｄ2PItは、望遠端における第２正レンズ群と像面との間の距離、
Ｄ2PIwは、広角端における第２正レンズ群と像面との間の距離であって、
いずれも無限遠物体に合焦したときの距離、
ｆ2Pは、第２正レンズ群の焦点距離、
である。
【００２８】
条件式（１）はズームレンズの変倍比を表すもので、条件式（２）と（３）の前提となる条件式である。
【００２９】
ズームレンズには、多様な撮影シーンに対応できることが望まれる。ここで、撮影シーンの各々には、最も撮影に適した画角が存在する。条件式（１）の下限を下回らないように、十分な変倍比を確保することで、より多様な撮影シーンに対応できるズームレンズを実現できる。
【００３０】
条件式（２）と（３）は、条件式（１）の下限値を下回らない変倍比をズームレンズが持つことを前提としている。
【００３１】
条件式（２）は、第１負レンズ群の移動量と第２正レンズ群の移動量の比を特定するものである。
【００３２】
条件式（２）の下限値を下回らないようにすることで、第１負レンズ群の移動量を十分に確保できる。また、第２正レンズ群の移動量が大きくなることを抑えながら、第１負レンズ群と第２正レンズ群の各々を絞りに近づけるように、これらのレンズ群を移動できる。これにより、第１負レンズ群における変倍の負担割合を適切に確保するとともに、広角端にて大きくなりやすい第２正レンズ群の有効口径を小さくしている。その結果、広角端での画角を広くしても、第２正レンズの有効口径を小さくできる。すなわち、ズームレンズの厚みや撮像装置の厚みを薄くしつつ、広角端において広い画角を確保できる。
【００３３】
条件式（２）の上限値を上回らないようにすることで、第１負レンズ群の移動量が大きくなることを適度に抑えられる。これにより、第１負レンズ群における変倍の負担割合が過剰になることを抑えられる。
【００３４】
条件式（３）は、第２正レンズ群の焦点距離と第２正レンズ群の移動量の比を特定するものである。
【００３５】
条件式（３）の下限値を下回らないように、第２正レンズ群の屈折力が大きくなることを抑えることで、第２正レンズ群における変倍の負担割合が過剰になることを抑えられる。その結果、変倍時の球面収差の変動を抑えられる。
【００３６】
条件式（３）の上限値を上回らないように、第２正レンズ群の屈折力を十分に確保することで、第２正レンズ群における変倍の負担割合を十分に確保できる。
【００３７】
また、本実施形態のズームレンズでは、以下の条件式（４）を満足することが好ましい。
１．５５＜｜Ｄ1NS／Ｄ2PS｜＜２．５      （４）
ただし、
Ｄ1NS＝Ｄ1NSt−Ｄ1NSw、Ｄ2PS＝Ｄ2PSt−Ｄ2PSwであり、
Ｄ1NStは、望遠端における第１負レンズ群と絞りとの間の距離、
Ｄ1NSwは、広角端における第１負レンズ群と絞りとの間の距離、
Ｄ2PStは、望遠端における第２正レンズ群と絞りとの間の距離、
Ｄ2PSwは、広角端における第２正レンズ群と絞りとの間の距離であって、
いずれも、無限遠物体に合焦した時の距離、
である。
【００３８】
条件式（４）は、第１負レンズ群と絞りとの距離の変化量と、第２正レンズ群の絞りとの距離の変化量との好ましい比を特定するものである。
【００３９】
条件式（４）の下限値を下回らないようにすることで、広角端にて第２正レンズ群が絞りから離れすぎないようにすることができる。これにより、第２正レンズ群の小径化を実現できる。
【００４０】
条件式（４）の上限値を上回らないように、広角端にて第１負レンズ群が絞りから離れすぎないようにすることで、第１負レンズ群における変倍の負担割合の過剰を抑えられる。
【００４１】
また、本実施形態のズームレンズでは、絞りは、広角端から望遠端への変倍時に位置が固定であることが好ましい。
【００４２】
このようにすることで、変倍のための駆動機構を簡略化できる。また、移動するレンズ群の重量増加を抑えることができ、これにより駆動機構に対する負荷を低減できる。
【００４３】
また、本実施形態のズームレンズでは、第１負レンズ群よりも像側に位置するレンズ群のうちで、第１負レンズ群の最も近くに位置するレンズ群は、第２正レンズ群であることが好ましい。
【００４４】
このようにすることで、ズームレンズの構成を、第１負レンズ群と第２正レンズ群の間に、レンズ群やレンズが配置されない構成にできる。その結果、レンズ群やレンズの数を低減できる。また、このようにすることで、第１負レンズ群と第２正レンズ群の各々について、変倍時の移動スペースを十分に確保することと、これらのレンズ群を絞りに接近させることを両立できる。また、このような構成は、コストの低減に有利となる。
【００４５】
また、本実施形態のズームレンズでは、第２正レンズ群よりも像側に、負屈折力の第２負レンズ群が配置され、更に、第２負レンズ群よりも像側に、正屈折力の第３正レンズ群が配置され、広角端から望遠端への変倍時に、第２正レンズ群と第２負レンズ群との間の距離は変化し、第２負レンズ群と第３正レンズ群との間の距離は変化することが好ましい。
【００４６】
第２正レンズ群よりも像側に第２負レンズ群を配置することで、第２負レンズ群において軸外光束を光軸から離れる方向に屈折できる。そして、第２負レンズ群よりも像側に第３正レンズ群を配置することで、第３正レンズ群において軸外光束を光軸に沿う方向に屈折できる。このようにすることで、第１正レンズ群から第２負レンズ群までの光学系について、小型化が実現できる。
【００４７】
また、このような配置にすることで、ズームレンズ内の屈折力配置の対称性が高まる。その結果、変倍時の軸外収差の変動を抑えられる。また、変倍時、非点収差、コマ収差及びディストーションが良好に補正された状態を保てる。そのため、このような配置は、広画角化にいっそう有利となる。また、このような屈折力配置は、望遠端付近でテレフォトタイプのような効果を強められる。よって、このような配置は、ズームレンズの全長の短縮化に有利となる。
【００４８】
また、第２正レンズ群には、第１負レンズ群と同様に、高い変倍作用を持たせている。そこで、第２負レンズ群には、変倍域全域で第２正レンズ群による強い収束作用を緩める作用と、像面側に像をリレーする作用を持たせている。また、第２正レンズ群と第２負レンズ群による変倍作用を適切に確保できる。よって、このような配置は、高変倍化と、第２正レンズ群よりも像側に位置するレンズの小径化に有利となる。
【００４９】
また、第１正レンズ群物体側系の負屈折力が大きくなると、第１正レンズ群物体側系で発生する負のディストーションが大きくなるので、この負のディストーションを低減することが好ましい。そこで、絞りよりも像側に第２負レンズ群を配置することで、この第２負レンズ群において適切な大きさの負屈折力を確保できる。よって、このような配置は、第１正レンズ群物体側系で発生する負のディストーションの低減に有利となる。
【００５０】
また、第２負レンズ群の像面側には、第３正レンズ群が位置する。第３正レンズ群は正屈折力を有していることから、この第３正レンズ群を良好な像面の平坦性の確保に寄与させることができる。
【００５１】
また、第３正レンズ群は、射出瞳を撮像素子の撮像面から遠ざける機能を持つ。また、シェーディングとしては、撮像素子の特性によるシェーディングや、色シェーディングがあるが、第３正レンズ群を配置することで、このようなシェーディングの発生を抑えられる。
【００５２】
また、第２正レンズ群より像側に、負屈折力の第２負レンズ群が配置され、更にその像側に、正屈折力の第３正レンズ群が配置されることで、撮像素子の撮像面へ入射する光線の入射角度を緩める（光軸と光線のなす角度を小さくする）ことができる。
【００５３】
また、第２負レンズ群と第３正レンズ群の作用により、高い変倍比を有しながら、変倍域全域に渡って安定した像面の平坦性を確保できる。また、第２負レンズ群と第３正レンズ群は、第２正レンズ群に対して絞りから離れているため、像面の近くに位置する。そのため、球面収差やコマ収差を悪化させることはほとんどない。
【００５４】
なお、第２負レンズ群と第３正レンズ群の各々は、それらが持つ作用から、少ないレンズ枚数でレンズ群を構成することができる。この場合、レンズ群を軽量化することができる。よって、第２負レンズ群や第３正レンズ群を移動させる場合、高速で安定したレンズ群の移動が可能になる。
【００５５】
また、本実施形態のズームレンズでは、第２負レンズ群は、合焦時に移動することが好ましい。
【００５６】
第２負レンズ群は、軽量化しやすいレンズ群である。そこで、この第２負レンズ群を合焦時に移動するレンズ群とすることで、合焦時の駆動機構に対する負荷、例えば、電力の消費を軽減できる。また、合焦時に駆動機構から発生する駆動音も小さくできるので、このようにすることは、動画撮影時の雑音の低減にも有利となる。
【００５７】
また、レンズ群を移動させると、撮像面上での像の大きさが変化する。第２負レンズ群を合焦時に移動させることで、像の大きさの変動を抑えられる。
【００５８】
また、前述のように、第２負レンズ群と第３正レンズ群は、高い変倍比であっても変倍域全域に渡って安定した像面の平坦性を確保できることや、移動させても球面収差やコマ収差を悪化させることがほとんどないことや、少ないレンズ枚数でレンズ群を構成すること、という特徴がある。そこで、変倍以外の目的でレンズ群を移動させる場合、レンズ群の持つ作用や収差変動への影響を考慮すると、第２負レンズ群を移動させることが好ましい。このようにすることで、合焦時の収差変動が少ない光学性能が確保できる。特に、至近での光学性能、例えば、球面収差や非点収差の変動が少ないという性能の確保が容易となる。
【００５９】
また、本実施形態のズームレンズでは、望遠端における第２負レンズ群の位置は、広角端における位置よりも第２正レンズ群側であり、第３正レンズ群は、広角端から望遠端への変倍時に静止していることが好ましい。
【００６０】
このようにすることで、像面湾曲の変動を抑えられる。また、第３正レンズ群を静止させることで、撮像装置内へのゴミの侵入を低減できるので、撮像素子へのゴミの付着を防止できる。
【００６１】
また、本実施形態のズームレンズは、物体側から像側に順に、第１正レンズ群、第１負レンズ群、第２正レンズ群、絞り、第２負レンズ群、第３正レンズ群を有する５群ズームレンズであることが好ましい。
【００６２】
このようにすることは、ズームレンズの小型化と高性能化に有利となる。
【００６３】
また、本実施形態のズームレンズでは、第１正レンズ群は、物体側から順に、負レンズ成分と、反射部材と、正レンズ成分と、からなり、負レンズ成分は第１正レンズ群物体側系であり、負レンズ成分では、像側面の形状が凹形状であり、正レンズ成分は第１正レンズ群像側系であり、第１正レンズ群像側系は反射面よりも像側に位置し、正レンズ成分では、物体側面の形状と像側面の形状が、共に凸形状であり、反射部材は、プリズムからなることが好ましい。
【００６４】
このようにすることで、広い画角の確保と第１正レンズ群の小型化ができる。
【００６５】
また、物体側に、負レンズ成分（第１正レンズ群物体側系）を配置することは、広角端での広い画角の確保に有利となる。また、像側に正レンズ成分を配置することで、第１正レンズ群において、適切な大きさの正屈折力を確保することができる。また、このような構成により、プリズム（反射部材）の配置スペースを小さくできる。
【００６６】
光学系を広画角化し、第１正レンズ群で光路を折り曲げるにあたっては、負レンズ成分と正レンズ成分との間で、光路の折り曲げに必要な光路長を確保する必要がある。そのためには、負レンズ成分の負屈折力を大きくすると共に、正レンズ成分の正屈折力を大きくすることが好ましい。
【００６７】
ここで、反射面としては、空気と接している状態の反射面と、プリズムに設けられている反射面と、がある。反射面が空気と接している状態では、反射面がプリズムに設けられている状態に比べて、負レンズ成分と正レンズ成分との間隔は広くなる。そのため、反射面が空気と接している状態では、反射面がプリズムに設けられている状態に比べて、負レンズ成分と正レンズ成分の屈折力の各々をより大きくする必要がある。
【００６８】
前述のように、負レンズ成分の負屈折力を大きくすることは広画角化に好ましく、正レンズ成分の正屈折力を大きくすることは、第１正レンズ群において適切な正屈折力を確保するのに好ましい。とはいえ、負レンズ成分の屈折力と正レンズ成分の屈折力の各々が大きくなると、負レンズ成分と正レンズ成分の各々で、非点収差と倍率色収差が大きくなる。この場合、負レンズ成分と正レンズ成分とで、各々の収差をある程度キャンセルすること（補正すること）ができる。
【００６９】
ただし、負レンズ成分の屈折力と正レンズ成分の屈折力の各々が更に大きくなると、非点収差と倍率色収差の各々について、負レンズ成分と正レンズ成分とでキャンセルすることが困難になる。そのため、広角端付近での非点収差と倍率色収差が残存しやすくなる。また、負レンズ成分の負屈折力を大きくすると、望遠端付近で負レンズ成分の倍率色収差が大きくなってくる。ここで、倍率色収差は軸上色収差の発生量に影響を及ぼすため、軸上色収差への影響（軸上色収差とのバランス）を考慮して収差補正を行うことが好ましい。しかしながら、反射面が空気と接している状態では、これらの収差の補正が難しくなる。
【００７０】
そこで、負レンズ成分と正レンズ成分の間に反射部材を配置し、この反射部材をプリズムにしている。このようにすることで、光路の折り曲げに必要な光路長を確保しつつ、広角端付近での非点収差と倍率色収差について、負レンズ成分での発生を低減できる。
【００７１】
加えて、プリズムを用いることで、望遠端付近で軸上色収差を負側に発生させることができる。そのため、負レンズ成分と正レンズ成分とで倍率色収差の補正を行った場合に軸上色収差が残存しても、プリズムで発生する負の軸上色収差を使って、残存した軸上色収差の補正ができる。
【００７２】
なお、負レンズ成分よりも物体側には、レンズ（群）が配置されていないことが好ましい。このようにすると、プリズムを第１正レンズ群中に配置しても、ズームレンズや撮像装置の厚みをより薄くできる。
【００７３】
また、本実施形態のズームレンズでは、第１正レンズ群は以下の条件式（５）を満足することが好ましい。
０．５＜Ｄ1PN1PP／ｆ1P＜１．０      （５）
ただし、
Ｄ1PN1PPは、第１正レンズ群の負レンズ成分と第１正レンズ群の正レンズ成分との間の光軸に沿った距離、
ｆ1Pは、第１正レンズ群の焦点距離、
である。
【００７４】
条件式（５）の下限値を下回らないようにすることで、反射部材を配置するスペースを確保できる。条件式（５）の上限値を上回らないようにすることで、諸収差の低減が行いやすくなる。
【００７５】
また、本実施形態のズームレンズでは、第１正レンズ群の正レンズ成分の物体側面と像側面が、共に非球面であることが好ましい。
【００７６】
第１正レンズ群の正屈折力を高めると、球面収差やコマ収差が発生しやすい。そこで、このようにすることで、第１正レンズ群の正屈折力を高めても、球面収差やコマ収差の発生量を低減できる。
【００７７】
また、本実施形態のズームレンズでは、第１負レンズ群は、最も物体側に配置された負レンズ成分と、最も像側に配置された正レンズ成分と、を有し、第１負レンズ群の最も物体側に配置された負レンズ成分では、物体側面の形状と像側面の形状が、共に凹形状であることが好ましい。
【００７８】
このようにすることで、第１負レンズ群の主点を第１正レンズ群に近づけられる。これにより、第１負レンズ群における変倍機能を容易に確保できる。また、このようにすることは、色収差などの諸収差の補正にも有利となる。
【００７９】
また、第１正レンズ群の負レンズ成分の負屈折力と第１正レンズ群の正レンズ成分の正屈折力の各々を大きくし、これにより光学系を広画角化すると、入射角の大きい光がズームレンズへ入射するようになる。すると、広角端付近では、入射角の大きい光が第１正レンズ群から射出する際、その射出光の光軸に対する角度が非常に大きくなる。そこで、第１負レンズ群内の最も物体側に、負レンズ成分を配置することが好ましい。これにより、射出光の射出角を小さくできる。このようにすることは、第１負レンズ群から像側にあるレンズ群における径の小径化に有利となる。
【００８０】
更に、第１負レンズ群では、この負レンズ成分の像側に、間隔を空けて正レンズ成分を配置することが好ましい。このようにすると、非球面を用いた場合に、より高い補正効果を出せる。なお、この正レンズ成分は、最も像側に位置すると良い。
【００８１】
また、本実施形態のズームレンズでは、第１負レンズ群の最も物体側に配置された負レンズ成分の物体側面と像側面が、共に非球面であり、第１負レンズ群の最も像側に配置された正レンズ成分の像側面が非球面であることが好ましい。
【００８２】
このようにすることは、広角側での軸外収差と望遠側での球面収差の、双方の補正に有利となる。第１負レンズ群では、望遠端で光束が狭まり、広角端にて光束が広がる。そこで、第１負レンズ群のレンズ面のうち、光軸から離れた位置を光束が通過するレンズ面、すなわち、最も物体側に配置された負レンズ成分の両面を非球面にする。そして、この非球面を、広角側での軸外収差の補正のために用いる。このようにすることで、第１負レンズ群における収差補正機能を高められる。
【００８３】
また、より入射角が大きい光をズームレンズに入射させるためには、第１負レンズ群の最も物体側に配置された負レンズ成分の負屈折力を大きくすることが好ましい。ただし、この負レンズ成分の負屈折力を大きくすると、主に、望遠端付近で正の球面収差が、広角端付近で像面湾曲が発生しやすくなる。そこで、この負レンズ成分の両面（物体側面と像側面）に非球面を使用することで、球面収差と像面湾曲の発生を抑えられる。
【００８４】
また、本実施形態のズームレンズでは、第１負レンズ群の最も像側に配置された正レンズ成分が単レンズであり、単レンズは以下の条件式（６）を満足することが好ましい。
ν1NP＜２９      （６）
ただし、
ν1NPは単レンズのｄ線におけるアッベ数、
である。
【００８５】
条件式（６）を満足すると、単レンズに使用される硝材は、アッベ数の小さいものになる。そのため、単レンズが第１負レンズ群の色収差をキャンセル（低減）することで、第１負レンズ群の色収差を低減できる。
【００８６】
また、本実施形態のズームレンズでは、第１負レンズ群の最も像側に配置された正レンズ成分が接合レンズであり、接合レンズは、物体側から順に、両凸正レンズと、メニスカス負レンズと、を有することが好ましい。
【００８７】
このようにすることで、コマ収差と色収差を良好に補正できる。
【００８８】
また、本実施形態のズームレンズでは、第２正レンズ群は、物体側から順に、正レンズ成分と、接合レンズと、からなり、第２正レンズ群の正レンズ成分では、物体側面の形状と像側面の形状が、共に凸形状であり、第２正レンズ群の接合レンズは、物体側から順に、像側に凹面を向けた負レンズと、両凸正レンズと、からなることが好ましい。
【００８９】
第２正レンズ群には、発散した軸上光束が入射する。そこで、第２正レンズ群において、物体側に正レンズ成分を配置することで、軸上光束を収斂させている。このようにすることで、第２正レンズ群の小径化ができる。また、正レンズ成分よりも像側に接合レンズを配置し、この接合レンズを負レンズと両凸正レンズで構成する。このようにすることで、第２正レンズ群における色収差や他の諸収差の発生を低減できる。
【００９０】
また、本実施形態のズームレンズでは、第２正レンズ群の正レンズ成分の物体側面と像側面が、共に非球面であることが好ましい。
【００９１】
このようにすることで、球面収差や広角側でのコマ収差を良好に補正できる。
【００９２】
また、本実施形態のズームレンズでは、第２負レンズ群は、１つの負レンズ成分からなり、第２負レンズ群の負レンズ成分では、像側面の形状が凹形状であることが好ましい。
【００９３】
このようにすることで、ズームレンズや撮像装置の低コスト化と小型化ができる。
【００９４】
なお、第２負レンズ群において、像のリレー、小型化及び収差補正等の機能を確保したい場合でも、第２負レンズ群を一枚の負レンズで構成することが可能である。この場合、第２負レンズ群で発生する色収差を少なくすることが望ましい。
【００９５】
また、本実施形態のズームレンズでは、第３正レンズ群は、１つの正レンズ成分からなり、第３正レンズ群の正レンズ成分では、物体側面の形状と像側面の形状が、共に凸形状であることが好ましい。
【００９６】
このようにすることで、ズームレンズや撮像装置の低コスト化と小型化ができる。
【００９７】
また、本実施形態のズームレンズでは、第３正レンズ群の正レンズ成分の物体側面と像側面が、共に非球面であることが好ましい。
【００９８】
このようにすることで、主に軸外収差を良好に補正できる。
【００９９】
また、本実施形態のズームレンズでは、第１正レンズ群は、反射面よりも像側に位置する第１正レンズ群像側系を備え、以下の条件式（７）を満足することが好ましい。
４．５≦｜ｆ1Po｜×ｆ1Pi／ＩＨt2≦７．５      （７）
ただし、
ｆ1Poは、第１正レンズ群物体側系の焦点距離、
ｆ1Piは、第１正レンズ群像側系の焦点距離、
ＩＨtは、望遠端における無限遠物体に合焦した時の最大像高、
である。
【０１００】
広角端での広い画角の確保には、入射角が大きい光のズームレンズへの入射を確保する必要がある。また、高い変倍比を維持しつつ、ズームレンズの全長を短縮することが、ズームレンズにとって望ましい。また、ズームレンズの全長の短縮化は、撮像装置の薄型化にとっても好ましい。
【０１０１】
このようなズームレンズの広画角化、高変倍比化、全長の短縮化を実現するには第１正レンズ群物体側系の負屈折力を大きくすると共に、第１正レンズ群の正屈折力を大きくすることが好ましい。ここで、第１正レンズ群の正屈折力を大きくすると、望遠端において、ズームレンズ全体の光学構成がテレフォトタイプのような構成となる。その結果、ズームレンズの全長を短縮する効果が高まる。よって、第１正レンズ群の正屈折力を大きくすることで、ズームレンズの全長を短縮する効果をより高めることが好ましい。条件式（７）は、ズームレンズの全長を短縮する効果を高めつつ、光学性能を良好に保つために好ましい条件である。
【０１０２】
条件式（７）の下限値を下回らないようにすることで、ズームレンズの全長を短縮しても、第１正レンズ群物体側系と第１正レンズ群像側系の各々で、非点収差と倍率色収差の発生を低減できる。特に、広角端付近で非点収差と倍率色収差を低減できる。また、画面周辺部で倍率色収差が急激に大きくなることを抑えられるので、色にじみを低減した画像を得やすくなる。
【０１０３】
また、望遠端付近では、第１正レンズ群像側系で諸収差、具体的には、負の球面収差、負の非点収差及び正のディストーションが発生しやすい。そこで、条件式（７）の下限値を下回らないようにすることで、これらの収差の発生を抑えられる。また、望遠端付近で球面収差が大きく負になることを抑えられるので、画像中心付近での性能を向上できる。また、正のディストーションの発生を低減しやすくなる。
【０１０４】
条件式（７）の上限値を上回らないようにすることで、第１正レンズ群における適切な大きさの正屈折力の確保や、高い変倍比を確保した上でのズームレンズの全長の短縮化ができる。また、第１正レンズ群物体側系の負屈折力を大きくできるので、広角端における広い画角の確保、反射部材の配置スペースの小型化及びそれに伴う撮像装置全体の小型化ができる。
【０１０５】
また、本実施形態のズームレンズでは、反射部材はプリズムであり、以下の条件式（８）、（９）を満足することが好ましい。
０．７≦ｔａｎωw−（Ｌpri／Ｌw）≦１．３      （８）
３．５≦ＤＴ／（ｆ1Po／ＩＨt）≦１６      （９）
ただし、
ωwは、広角端において無限遠物体に合焦した時の最大半画角、
Ｌpriは、プリズムの光軸に沿った全長であって、全長は、プリズムを構成する光学面のうちの、反射面よりも物体側にある光学面から反射面よりも像側にある光学面までの距離、
Ｌwは、ズームレンズ全系の光軸に沿った全長に、空気換算したバックフォーカス長を加えた距離であって、この距離は、広角端において無限遠物体に合焦した時の距離であり、全長は、ズームレンズの最も物体側のレンズ面から最も像側のレンズ面までの距離、
ＤＴ＝（ＩＨw−ｆw×ｔａｎωw）／（ｆw×ｔａｎωw）×１００であり、単位は％であり、
ｆ1Poは、第１正レンズ群物体側系の焦点距離、
ＩＨtは、望遠端において無限遠物体に合焦した時の最大像高、
ＩＨwは、広角端において無限遠物体に合焦した時の最大像高、
ｆwは、広角端において無限遠物体に合焦した時のズームレンズ全系の焦点距離、
である。
【０１０６】
反射部材にプリズムを用いることで、望遠端付近で軸上色収差を負側に発生させられる。そのため、第１正レンズ群物体側系と第１正レンズ群像側系とで倍率色収差の補正を行った場合に軸上色収差が残存しても、プリズムで発生する負の軸上色収差を使って、残存した軸上色収差を補正できる。
【０１０７】
条件式（８）は、高い変倍比を確保しながら、プリズムで発生させる望遠端付近での負の軸上色収差の発生量と、広角端付近での非点収差と倍率色収差の発生量と、歪曲収差の発生量とを、許容範囲内に収めるために好ましい条件式である。
【０１０８】
条件式（８）の下限値を下回らないように、画角に対してプリズムの全長が長くなることを抑えることで、適切な量の軸上色収差をプリズムで発生させることができる。これにより、望遠端付近での軸上色収差を低減できる。また、第１正レンズ群物体側系と第１正レンズ群像側系との間隔や、各々の屈折力を適切にすることができるので、収差補正が効果的に行える。条件式（８）の上限値を上回らないようにすることで、歪曲収差を低減できる。
【０１０９】
また、ディストーションは画角の３乗に比例して大きくなり、非点収差は画角の２乗に比例して大きくなる特徴がある。広角端付近で負のディストーションを大きくすること、すなわち、負のディストーションの発生をある程度許容することは、広画角化する際、像面の平坦性の確保に有利となる。この場合、第１正レンズ群物体側系で発生するディストーションの量を適切な量（許容範囲内）にすることで、望遠端付近での軸上色収差の負の収差量を適切な量とし、また、広角端付近での非点収差と倍率色収差を良好に補正できる。また、第１正レンズ群物体側系の負屈折力を大きくするほど、広画角化と反射部材の小型化につながる。条件式（９）はその点を特定したものであり、条件式（９）を満たすことで、高い光学性能の実現と小型化の両立ができる。
【０１１０】
条件式（９）の下限値を下回らないようにすることで、第１正レンズ群物体側系で発生する負のディストーションの量を適切に確保できる（許容範囲内にできる）。そのため、反射部材を小型化できる。
【０１１１】
条件式（９）の上限値を上回らないようにすることで、第１正レンズ群物体側系で発生する負のディストーションの量が過剰になることを抑えられ、また、第１正レンズ群物体側系で発生する非点収差を良好に補正できる。また、電気的なディストーション補正を行った場合でも、解像力の劣化を抑えられる。
【０１１２】
また、本実施形態のズームレンズでは、以下の条件式（１０）、（１１）を満足することが好ましい。
４．２≦｜（ｆ1Po／ＩＨt）×（ｆ1P／ＩＨt）／ｔａｎωw｜≦１１．６    （１０）
５．６≦｜（ｆ1Po／ｆw）×（ｆ1P／ｆw）｜≦１１．５      （１１）
ただし、
ｆ1Poは、第１正レンズ群物体側系の焦点距離、
ｆ1Pは、第１正レンズ群の焦点距離、
ＩＨtは、望遠端において無限遠物体に合焦した時の最大像高、
ωwは、広角端において無限遠物体に合焦した時の最大半画角、
ｆwは、広角端において無限遠物体に合焦した時のズームレンズ全系の焦点距離、
である。
【０１１３】
前述のように、広画角化を実現するには、第１正レンズ群物体側系の負屈折力を大きくすることが好ましい。また、高変倍比化、全長の短縮化のためには、第１正レンズ群の正屈折力を大きくして、望遠端において、ズームレンズ全体の光学構成がテレフォトタイプのような構成となるようにすることが好ましい。
【０１１４】
また、画角が広くなるほど、第１正レンズ群物体側系の負屈折力が大きくなる。そのため、第１正レンズ群物体側系で発生する非点収差や倍率色収差について補正を行うことが好ましい。そこで、画角に対する第１正レンズ群物体側系と第１正レンズ群の屈折力のバランスを適切に設定することが、高い光学性能の実現と小型化の両立のために有利となる。
【０１１５】
条件式（１０）と（１１）は、第１正レンズ群物体側系と第１正レンズ群の屈折力を、共に大きくすることを意味している。
【０１１６】
条件式（１０）と（１１）の下限値を下回らないようにすることで、第１正レンズ群の屈折力が大きくなりすぎることを抑えると共に、第１正レンズ群物体側系と第１正レンズ群像側系の各々で、非点収差と倍率色収差の発生を低減できる。特に、広角端付近で非点収差と倍率色収差を低減できる。また、画面周辺部で倍率色収差が急激に大きくなることを抑えられるので、色にじみを低減した画像を得やすくなる。
【０１１７】
条件式（１０）と（１１）の下限値を下回らないようにすることで、望遠端付近において第１正レンズ群像側系で発生する諸収差、具体的には、負の球面収差、負の非点収差及び正のディストーションの各々が補正過剰になることを抑えられる。また、望遠端付近で球面収差が大きく負となることを抑えられるので、画像中心付近での性能を向上できる。また、正のディストーションの発生を低減しやすくなる。
【０１１８】
また、条件式（１０）と（１１）の上限値を上回らないようにすることで、第１正レンズ群における適切な大きさの正屈折力の確保や、高い変倍比を確保した上でのズームレンズの全長の短縮化ができる。また、第１正レンズ群物体側系の負屈折力を大きくすることができるので、広角端における広い画角の確保と、反射部材の配置スペースの小型化とそれに伴う撮像装置全体の小型化ができる。
【０１１９】
また、本実施形態のズームレンズでは、以下の条件式（１２）を満足することが好ましい。
１．０≦｜（ｆ1Po／ＩＨt）／（ｔａｎωw）2｜≦３．７      （１２）
ただし、
ｆ1Poは、第１正レンズ群物体側系の焦点距離、
ＩＨtは、望遠端において無限遠物体に合焦した時の最大像高、
ωwは、広角端において無限遠物体に合焦した時の最大半画角、
である。
【０１２０】
条件式（１２）は、ズームレンズにおいて、広い画角を確保し、高変倍比で、小型で、良好な光学性能を得るための好ましい条件である。
【０１２１】
条件式（１２）の下限値を下回らないようにすることで、第１正レンズ群物体側系の負屈折力が大きくなりすぎることを抑えられる。この場合、大きな負のディストーションが第１正レンズ群物体側系で発生することを抑えられるので、他のレンズでディストーションの補正が行いやすくなる。また、残存するディストーションを小さくすることで、電気的なディストーション補正を行った場合でも解像力の劣化を抑えられる。
【０１２２】
条件式（１２）の上限値を上回らないようにすることで、第１正レンズ群物体側系について、適切な大きさの負屈折力を確保できる。そのため、広画角化ができる。また、ズームレンズ全体での負屈折力は、第１負レンズ群でも負担している。そのため、第１正レンズ群物体側系において、適切な大きさの負屈折力にできると、広画角化に伴う第１負レンズ群の負屈折力の負担増（負屈折力が大きくなりすぎること）を抑えられることから、ズームレンズの全長の短縮化と高変倍比を両立できる。また、第１負レンズ群の負屈折力の負担を減らすことで、第１負レンズ群の偏心による像面の傾きを低減しやすくなるので、安定した光学性能を得やすくなる。
【０１２３】
また、本実施形態のズームレンズでは、反射部材はプリズムであり、以下の条件式（１３）を満足することが好ましい。
１．５≦（Ｌpri／ＩＨt）×（ｆw／ＩＨt）／ｔａｎωw≦２．８      （１３）
ただし、
Ｌpriは、プリズムの光軸に沿った全長であって、全長は、プリズムを構成する光学面のうちの、反射面よりも物体側にある光学面から反射面よりも像側にある光学面までの距離、
ＩＨtは、望遠端において無限遠物体に合焦した時の最大像高、
ｆwは、広角端において無限遠物体に合焦した時のズームレンズ全系の焦点距離、
ωwは、広角端において無限遠物体に合焦した時の最大半画角、
である。
【０１２４】
条件式（１３）の下限値を下回らないようにすることで、広角端で、絞りより物体側のレンズ系の負屈折力（第１正レンズ群物体側系と第１負レンズ群の屈折力）が大きくなりすぎることを抑え、負のディストーションの低減とズームレンズの全長の短縮化ができる。また、負のディストーションの低減により、電気的にディストーションの補正を行った場合に解像力の劣化を抑えられる。
【０１２５】
条件式（１３）の上限値を上回らないようにすることで、プリズム内の光路長を短くし、プリズムの厚みを薄くできる。
【０１２６】
また、本実施形態のズームレンズでは、以下の条件式（１４）を満足することが好ましい。
１．２≦｜ｆ1Po／ＩＨt｜≦３．６      （１４）
ただし、
ｆ1Poは、第１正レンズ群物体側系の焦点距離、
ＩＨtは、望遠端において無限遠物体に合焦した時の最大像高、
である。
【０１２７】
更に、第１正レンズ群物体側系の屈折力の大きさを適切に設定することで、広画角化に有利となる。条件式（１４）は、第１正レンズ群物体側系の屈折力の大きさを適切に設定する条件式である。
【０１２８】
条件式（１４）の下限値を下回らないようにすることで、光学系を広画角化した際に、負のディストーションが大きく発生することを抑えられる。
【０１２９】
条件式（１４）の上限値を上回らないようにすることで、広い画角が確保できる。又は、第１負レンズ群の負屈折力を適度な大きさに抑えやすくなるので、高変倍比化しても全変倍域で像面湾曲を良好に補正しやすくなる。
【０１３０】
また、本実施形態のズームレンズでは、以下の条件式（１５）を満足することが好ましい。
ωw≧４２°      （１５）
ただし、
ωwは、広角端において無限遠物体に合焦した時の最大半画角、
である。
【０１３１】
条件式（１５）を満足することで、広角端にて十分に広い画角を確保できる。これにより、狭い空間での広角撮影などが可能になる。
【０１３２】
また、本実施形態の撮像装置は、上述のズームレンズと、ズームレンズにより形成された像を電気信号に変換する撮像素子と、を備える。
【０１３３】
多様な撮影シーンへの対応が可能な撮像装置を実現できる。
【０１３４】
上述の各構成は、複数を同時に満足することがより好ましい。また、プリズムには、直角プリズムを用いることができる。
【０１３５】
また、各条件式について、下限値、上限値の何れかまたは双方を限定することで、その機能をより確実にできるので好ましい。
条件式（１）について、
下限値を４．１、更には４．７とすることが好ましい。
上限値を設け、２０とすることが好ましい。上限値を上回らないようにすることで、ズーム全域での収差を低減しやすくなる。更には上限値を１０、更には７とすることが好ましい。このようにすることは、ズームレンズの小型化と高性能化の両立に有利とる。
条件式（２）について、
下限値を１．６５、更には１．６９とすることが好ましい。
上限値を２．４、更には２．３とすることが好ましい。
条件式（３）について、
下限値を１．８とすることが好ましい。
上限値を２．３、更には２．２とすることが好ましい。
条件式（４）について、
下限値を１．６５、更には１．６９とすることが好ましい。
上限値を２．４、更には２．３とすることが好ましい。
条件式（５）について、
下限値を０．６６、更には０．７６とすることが好ましい。
上限値を０．９２、更には０．８６とすることが好ましい。
条件式（６）について、
上限値を２７、更には２５とすることが好ましい。
条件式（７）について、
下限値を５．３、更には５．８とすることが好ましい。
上限値を７．１、更には６．８とすることが好ましい。
条件式（８）について、
下限値を０．７８、更には０．８３とすることが好ましい。
上限値を１．１、更には０．８８とすることが好ましい。
条件式（９）について、
下限値を５．５、更には６．０とすることが好ましい。
上限値を１０．０、更には７．０とすることが好ましい。
条件式（１０）について、
下限値を５．４、更には７．４とすることが好ましい。
上限値を１０．０、更には９．２とすることが好ましい。
条件式（１１）について、
下限値を６．６、更には７．６とすることが好ましい。
上限値を１０．０、更には９．０とすることが好ましい。
条件式（１２）について、
下限値を１．９、更には２．３とすることが好ましい。
上限値を３．２、更には２．７とすることが好ましい。
条件式（１３）について、
下限値を１．８、更には２．０とすることが好ましい。
上限値を２．４、更には２．２とすることが好ましい。
条件式（１４）について、
下限値を１．８、更には２．４とすることが好ましい。
上限値を３．０、更には２．7とすることが好ましい。
条件式（１５）について、
下限値を４４°とすることが好ましい。
上限値を設け、６０°とすることが好ましい。上限値を上回らないようにすることは、ディストーションの低減、周辺光量の確保に有利となる。更には、上限値を５０°とすることが好ましい。
【０１３６】
なお、上述のズームレンズや撮像装置は、複数の構成を同時に満足してもよい。このようにすることが、良好なズームレンズや撮像装置を得る上で好ましい。また、好ましい構成の組み合わせは任意である。また、各条件式について、より限定した条件式の数値範囲の上限値あるいは下限値のみを限定しても構わない。
【０１３７】
ωw（広角端において無限遠物体に合焦した時の最大半画角）について、図１３を用いて説明する。図１３には、ズームレンズ、明るさ絞り及び撮像面が、光軸上に配置されている様子が示されている。ズームレンズに入射した光線は、明るさ絞りを通過したのち、ズームレンズから出射して撮像面に到達する。
【０１３８】
図１３において、実線で示す光線Ｌは、明るさ絞りの中心を通過する光線のうち、有効撮像領域上の点Ｘに到達する光線を示している。この点Ｘは、有効撮像領域のなかで光軸から最も離れた位置である。ここで、有効撮像領域は物体像が形成されている領域であるため、点Ｘは最大像高位置になる。このように、光線Ｌは、明るさ絞り中心を通過して有効撮像領域の最大像高位置に入射する光線である。そして、ωwは、広角端における、光線Ｌの光軸に対する半画角である。
【０１３９】
以下に、本発明に係る撮像装置に用いられるズームレンズの実施例を、図面に基づいて詳細に説明する。なお、この実施例によりこの発明が限定されるものではない。
【０１４０】
以下、ズームレンズの実施例１〜６について説明する。実施例１〜６のレンズ断面図を、それぞれ図１〜図６に示す。図１〜図６中、（ａ）は、広角端におけるレンズ断面図、（ｂ）は、中間焦点距離状態におけるレンズ断面図、（ｃ）は、望遠端におけるレンズ断面図である。なお、（ａ）〜（ｃ）は、いずれも、無限遠物体合焦時のレンズ断面図である。
【０１４１】
また、第１レンズ群はＧ１、第２レンズ群はＧ２、開口絞り（明るさ絞り）はＳ、第３レンズ群はＧ３、第４レンズ群はＧ４、第５レンズ群はＧ５、電子撮像素子のカバーガラスの平行平板はＣ、像面はＩで示してある。なお、カバーガラスＣの表面に波長域制限用の多層膜を施してもよい。また、そのカバーガラスＣにローパスフィルタの作用を持たせるようにしてもよい。
【０１４２】
実施例１〜６において、反射面は直角プリズムに設けられている。この反射面は平面で、光軸上ではプリズムの物体側屈折面と像側屈折面の中間に、光軸に対して略４５度傾いて配置されている。また、この反射面は、プリズム内部を通過する光を反射するので、裏面反射面となっている。よって、プリズムは、裏面反射プリズムとなっている。なお、反射面の図示及び数値データでは省略されており、プリズムの物体側屈折面と像側屈折面が図示及び数値データに記載されている。
【０１４３】
また、像面はＩには、撮像素子が配置されている。撮像素子上の撮像領域が略矩形の場合、撮像領域の短辺方向とズームレンズへの入射光軸がほぼ平行となるように、撮像素子配置することが好ましい。このような配置にすると、ズームレンズの入射光軸方向の小型化に有利となり、撮像装置の薄型化につながる。
【０１４４】
実施例１〜６のズームレンズでは、像高は、中間焦点距離状態と望遠端が同じで、これらに比べて、広角端での像高が小さくなっている。これは、広角端における像をたる型形状にして、たる型の画像を電気的に矩形の画像に変換することでディストーションを補正するからである。電気的なディストーション補正については、詳細を省略する。
【０１４５】
実施例１〜６のズームレンズは、正屈折力の第１正レンズ群と、負屈折力の第１負レンズ群と、絞りと、正屈折力の第２正レンズ群と、を有し、第１正レンズ群と、第１負レンズ群とが、物体側から像側に、この順で配置され、第２正レンズ群は、第１負レンズ群よりも像側に配置され、絞りは、第１負レンズ群と第２正レンズ群の間に配置され、広角端から望遠端への変倍時に、第１正レンズ群は静止し、第１負レンズ群は像側に移動し、第２正レンズ群は物体側に移動する。
【０１４６】
実施例１〜６のズームレンズは、屈折力配置（絞りＳを含む）が、正負Ｓ正負正となっている。ここで、第１正レンズ群が第１レンズ群Ｇ１、第１負レンズ群が第２レンズ群Ｇ２、第２正レンズ群が第３レンズ群Ｇ３である。
【０１４７】
このような構成にすることで、実施例１〜６では、ズームレンズの全長の短縮化と、高い変倍比の確保を実現している。また、屈折力配置の対称性を高める構成であるため、変倍時における軸外の収差変動、特に、非点収差やコマ収差などの軸外収差が良好に補正された状態を保つことが容易になる。
【０１４８】
また、広角端から望遠端への変倍時に、第１負レンズ群（第２レンズ群Ｇ２）と第２正レンズ群（第３レンズ群Ｇ３）は、共に絞りに近づくように移動する。そして、第１負レンズ群（第２レンズ群Ｇ２）の望遠端における位置は、広角端における位置よりも像側であり、第２正レンズ群（第３レンズ群Ｇ３）の望遠端における位置は、広角端における位置よりも物体側となっている。この結果、光学系を広画角化しても、第１正レンズ群（第１レンズ群Ｇ１）の径を小さくできると共に、高い変倍比の確保がより容易となる。
【０１４９】
また、第１正レンズ群（第１レンズ群Ｇ１）は、変倍時だけでなく、合焦時も静止している。このようにすることで、ズームレンズにおける光学系（レンズ群）のレイアウトをより簡素化できる。その結果、より小型の撮像装置を実現できる。
【０１５０】
また、第１正レンズ群（第１レンズ群Ｇ１）は、光路を折り曲げる反射面を有する反射部材と、第１正レンズ群物体側系と、第１正レンズ群像側系と、を備え、第１正レンズ群物体側系は、反射面よりも物体側に位置すると共に、負屈折力を有し、第１正レンズ群像側系は、反射面よりも像側に位置すると共に、正屈折力を有する。このようにすることで、第１正レンズ群（第１レンズ群Ｇ１）において、適切な正屈折力を確保することができる。また、反射部材の配置スペースを小さくすることができる。
【０１５１】
実施例１のズームレンズは、図１に示すように、物体側から順に、正屈折力の第１レンズ群Ｇ１（第１正レンズ群）と、負屈折力の第２レンズ群Ｇ２（第１負レンズ群）と、正屈折力の第３レンズ群Ｇ３（第２正レンズ群）と、負屈折力の第４レンズ群Ｇ４（第２負レンズ群）と、正屈折力の第５レンズ群Ｇ５（第３正レンズ群）と、で構成されている。開口絞り（絞り）Ｓは第２レンズ群Ｇ２（第１負レンズ群）と、第３レンズ群Ｇ３（第２正レンズ群）との間に配置されている。
【０１５２】
第１レンズ群Ｇ１は、物体側に凸面を向けた負メニスカスレンズＬ１と、プリズムＬ２と、両凸正レンズＬ３と、で構成されている。第２レンズ群Ｇ２は、両凹負レンズＬ４と、両凹負レンズＬ５と、物体側に凸面を向けた正メニスカスレンズＬ６と、で構成されている。第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と、両凸正レンズＬ９とが、接合されている。第４レンズ群Ｇ４は、両凹負レンズＬ１０で構成されている。第５レンズ群Ｇ５は、両凸正レンズＬ１１で構成されている。
【０１５３】
広角端から望遠端への変倍時、第１レンズ群Ｇ１は固定（静止）であり、第２レンズ群Ｇ２は像側に移動し、開口絞りＳは固定（静止）であり、第３レンズ群Ｇ３は物体側に移動し、第４レンズ群Ｇ４は物体側に移動し、第５レンズ群Ｇ５は固定（静止）である。
【０１５４】
非球面は、両凸正レンズＬ３の両面と、両凹負レンズＬ４の両面と、正メニスカスレンズＬ６の両面と、両凸正レンズＬ７の両面と、両凸正レンズＬ９の像側面と、両凹負レンズＬ１０の両面と、両凸正レンズＬ１１の両面との、合計１３面に設けられている。
【０１５５】
無限遠物体から至近距離物体への合焦時、第４レンズ群Ｇ４が、光軸に沿って像側に移動する。
【０１５６】
実施例２のズームレンズは、図２に示すように、物体側から順に、正屈折力の第１レンズ群Ｇ１（第１正レンズ群）と、負屈折力の第２レンズ群Ｇ２（第１負レンズ群）と、正屈折力の第３レンズ群Ｇ３（第２正レンズ群）と、負屈折力の第４レンズ群Ｇ４（第２負レンズ群）と、正屈折力の第５レンズ群Ｇ５（第３正レンズ群）と、で構成されている。開口絞り（絞り）Ｓは第２レンズ群Ｇ２（第１負レンズ群）と、第３レンズ群Ｇ３（第２正レンズ群）との間に配置されている。
【０１５７】
第１レンズ群Ｇ１は、物体側に凸面を向けた負メニスカスレンズＬ１と、プリズムＬ２と、両凸正レンズＬ３と、で構成されている。第２レンズ群Ｇ２は、両凹負レンズＬ４と、両凹負レンズＬ５と、物体側に凸面を向けた正メニスカスレンズＬ６と、で構成されている。第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と、両凸正レンズＬ９とが、接合されている。第４レンズ群Ｇ４は、両凹負レンズＬ１０で構成されている。第５レンズ群Ｇ５は、両凸正レンズＬ１１で構成されている。
【０１５８】
広角端から望遠端への変倍時、第１レンズ群Ｇ１は固定（静止）であり、第２レンズ群Ｇ２は像側に移動し、開口絞りＳは固定（静止）であり、第３レンズ群Ｇ３は物体側に移動し、第４レンズ群Ｇ４は物体側に移動し、第５レンズ群Ｇ５は固定（静止）である。
【０１５９】
非球面は、両凸正レンズＬ３の両面と、両凹負レンズＬ４の両面と、正メニスカスレンズＬ６の両面と、両凸正レンズＬ７の両面と、両凸正レンズＬ９の像側面と、両凸正レンズＬ１１の両面との、合計１１面に設けられている。
【０１６０】
無限遠物体から至近距離物体への合焦時、第４レンズ群Ｇ４が、光軸に沿って像側に移動する。
【０１６１】
実施例３のズームレンズは、図３に示すように、物体側から順に、正屈折力の第１レンズ群Ｇ１（第１正レンズ群）と、負屈折力の第２レンズ群Ｇ２（第１負レンズ群）と、正屈折力の第３レンズ群Ｇ３（第２正レンズ群）と、負屈折力の第４レンズ群Ｇ４（第２負レンズ群）と、正屈折力の第５レンズ群Ｇ５（第３正レンズ群）と、で構成されている。開口絞り（絞り）Ｓは第２レンズ群Ｇ２（第１負レンズ群）と、第３レンズ群Ｇ３（第２正レンズ群）との間に配置されている。
【０１６２】
第１レンズ群Ｇ１は、平凹負レンズＬ１と、プリズムＬ２と、両凸正レンズＬ３と、で構成されている。第２レンズ群Ｇ２は、両凹負レンズＬ４と、物体側に凸面を向けた正メニスカスレンズＬ５と、で構成されている。第３レンズ群Ｇ３は、両凸正レンズＬ６と、物体側に凸面を向けた負メニスカスレンズＬ７と、両凸正レンズＬ８と、で構成されている。ここで、負メニスカスレンズＬ７と、両凸正レンズＬ８とが、接合されている。第４レンズ群Ｇ４は、両凹負レンズＬ９で構成されている。第５レンズ群Ｇ５は、両凸正レンズＬ１０で構成されている。
【０１６３】
広角端から望遠端への変倍時、第１レンズ群Ｇ１は固定（静止）であり、第２レンズ群Ｇ２は像側に移動し、開口絞りＳは固定（静止）であり、第３レンズ群Ｇ３は物体側に移動し、第４レンズ群Ｇ４は物体側に移動し、第５レンズ群Ｇ５は固定（静止）である。
【０１６４】
非球面は、両凸正レンズＬ３の両面と、両凹負レンズＬ４の両面と、正メニスカスレンズＬ５の両面と、両凸正レンズＬ６の両面と、両凸正レンズＬ１０の両面との、合計１０面に設けられている。
【０１６５】
無限遠物体から至近距離物体への合焦時、第４レンズ群Ｇ４が、光軸に沿って像側に移動する。
【０１６６】
実施例４のズームレンズは、図４に示すように、物体側から順に、正屈折力の第１レンズ群Ｇ１（第１正レンズ群）と、負屈折力の第２レンズ群Ｇ２（第１負レンズ群）と、正屈折力の第３レンズ群Ｇ３（第２正レンズ群）と、負屈折力の第４レンズ群Ｇ４（第２負レンズ群）と、正屈折力の第５レンズ群Ｇ５（第３正レンズ群）と、で構成されている。開口絞り（絞り）Ｓは第２レンズ群Ｇ２（第１負レンズ群）と、第３レンズ群Ｇ３（第２正レンズ群）との間に配置されている。
【０１６７】
第１レンズ群Ｇ１は、平凹負レンズＬ１と、プリズムＬ２と、両凸正レンズＬ３と、で構成されている。第２レンズ群Ｇ２は、両凹負レンズＬ４と、物体側に凸面を向けた正メニスカスレンズＬ５と、で構成されている。第３レンズ群Ｇ３は、両凸正レンズＬ６と、物体側に凸面を向けた負メニスカスレンズＬ７と、両凸正レンズＬ８と、で構成されている。ここで、負メニスカスレンズＬ７と、両凸正レンズＬ８とが、接合されている。第４レンズ群Ｇ４は、両凹負レンズＬ９で構成されている。第５レンズ群Ｇ５は、両凸正レンズＬ１０で構成されている。
【０１６８】
広角端から望遠端への変倍時、第１レンズ群Ｇ１は固定（静止）であり、第２レンズ群Ｇ２は像側に移動し、開口絞りＳは固定（静止）であり、第３レンズ群Ｇ３は物体側に移動し、第４レンズ群Ｇ４は物体側に移動し、第５レンズ群Ｇ５は固定（静止）である。
【０１６９】
非球面は、両凸正レンズＬ３の両面と、両凹負レンズＬ４の両面と、正メニスカスレンズＬ５の両面と、両凸正レンズＬ６の両面と、両凸正レンズＬ１０の両面との、合計１０面に設けられている。
【０１７０】
無限遠物体から至近距離物体への合焦時、第４レンズ群Ｇ４が、光軸に沿って像側に移動する。
【０１７１】
実施例５のズームレンズは、図５に示すように、物体側から順に、正屈折力の第１レンズ群Ｇ１（第１正レンズ群）と、負屈折力の第２レンズ群Ｇ２（第１負レンズ群）と、正屈折力の第３レンズ群Ｇ３（第２正レンズ群）と、負屈折力の第４レンズ群Ｇ４（第２負レンズ群）と、正屈折力の第５レンズ群Ｇ５（第３正レンズ群）と、で構成されている。開口絞り（絞り）Ｓは第２レンズ群Ｇ２（第１負レンズ群）と、第３レンズ群Ｇ３（第２正レンズ群）との間に配置されている。
【０１７２】
第１レンズ群Ｇ１は、両凹負レンズＬ１と、プリズムＬ２と、両凸正レンズＬ３と、で構成されている。第２レンズ群Ｇ２は、両凹負レンズＬ４と、両凸正レンズＬ５と、像側に凸面を向けた負メニスカスレンズＬ６と、で構成されている。ここで、両凸正レンズＬ５と、負メニスカスレンズＬ６とが、接合されている。第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と、両凸正レンズＬ９とが、接合されている。第４レンズ群Ｇ４は、両凹負レンズＬ１０で構成されている。第５レンズ群Ｇ５は、両凸正レンズＬ１１で構成されている。
【０１７３】
広角端から望遠端への変倍時、第１レンズ群Ｇ１は固定（静止）であり、第２レンズ群Ｇ２は像側に移動し、開口絞りＳは固定（静止）であり、第３レンズ群Ｇ３は物体側に移動し、第４レンズ群Ｇ４は物体側に移動した後、像側に移動し、第５レンズ群Ｇ５は固定（静止）である。なお、第４レンズ群Ｇ４が像側へ移動する量はわずかである。
【０１７４】
非球面は、両凸正レンズＬ３の両面と、両凹負レンズＬ４の両面と、負メニスカスレンズＬ６の像側面と、両凸正レンズＬ７の両面と、両凸正レンズＬ１１の両面との、合計９面に設けられている。
【０１７５】
無限遠物体から至近距離物体への合焦時、第４レンズ群Ｇ４が、光軸に沿って像側に移動する。
【０１７６】
実施例６のズームレンズは、図６に示すように、物体側から順に、正屈折力の第１レンズ群Ｇ１（第１正レンズ群）と、負屈折力の第２レンズ群Ｇ２（第１負レンズ群）と、正屈折力の第３レンズ群Ｇ３（第２正レンズ群）と、負屈折力の第４レンズ群Ｇ４（第２負レンズ群）と、正屈折力の第５レンズ群Ｇ５（第３正レンズ群）と、で構成されている。開口絞り（絞り）Ｓは第２レンズ群Ｇ２（第１負レンズ群）と、第３レンズ群Ｇ３（第２正レンズ群）との間に配置されている。
【０１７７】
第１レンズ群Ｇ１は、平凹負レンズＬ１と、プリズムＬ２と、両凸正レンズＬ３と、で構成されている。第２レンズ群Ｇ２は、両凹負レンズＬ４と、両凸正レンズＬ５と、像側に凸面を向けた負メニスカスレンズＬ６と、で構成されている。ここで、両凸正レンズＬ５と、負メニスカスレンズＬ６とが、接合されている。第３レンズ群Ｇ３は、両凸正レンズＬ７と、物体側に凸面を向けた負メニスカスレンズＬ８と、両凸正レンズＬ９と、で構成されている。ここで、負メニスカスレンズＬ８と、両凸正レンズＬ９とが、接合されている。第４レンズ群Ｇ４は、両凹負レンズＬ１０で構成されている。第５レンズ群Ｇ５は、両凸正レンズＬ１１で構成されている。
広角端から望遠端への変倍時、第１レンズ群Ｇ１は固定（静止）であり、第２レンズ群Ｇ２は像側に移動し、開口絞りＳは固定（静止）であり、第３レンズ群Ｇ３は物体側に移動し、第４レンズ群Ｇ４は物体側に移動した後、像側に移動し、第５レンズ群Ｇ５は固定（静止）である。なお、第４レンズ群Ｇ４が像側へ移動する量はわずかである。
【０１７８】
非球面は、両凸正レンズＬ３の両面と、両凹負レンズＬ４の両面と、負メニスカスレンズＬ６の像側面と、両凸正レンズＬ７の両面と、両凸正レンズＬ１１の両面との、合計９面に設けられている。
【０１７９】
無限遠物体から至近距離物体への合焦時、第４レンズ群Ｇ４が、光軸に沿って像側に移動する。
【０１８０】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数、＊印は非球面である。また、ｆは全系の焦点距離、ＦＮＯ．はＦナンバ、ωは半画角、ＩＨは像高、ＦＢはバックフォーカス、全長は、ズームレンズの最も物体側のレンズ面から最も像側のレンズ面までの距離、ｆ１、ｆ２…は各レンズ群の焦点距離である。なお、ＦＢ（バックフォーカス）は、レンズ最終面から近軸像面までの距離を空気換算して表したものである。また、広角は広角端、中間は中間焦点距離状態、望遠は望遠端を表している。
【０１８１】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０１８２】
数値実施例１
単位ｍｍ
面データ
面番号       r           d             nd           νd
物面        ∞           ∞
1       5868.194       0.50        2.00100        29.13
2          9.944       2.15
3          ∞          8.10        1.92286        20.88
4          ∞          0.15
5*        11.221       2.85        1.61881        63.85
6*       -11.727      （可変）
7*       -29.210       0.50        1.77030        47.40
8*         4.583       1.25
9        -40.857       0.60        1.69680        55.53
10         11.727       0.20
11*         7.066       1.38        1.80486        24.74
12*       224.805      （可変）
13（絞り）  ∞         （可変）
14*         5.477       2.81        1.61881        63.85
15*       -13.884       1.98
16         13.769       0.40        2.00100        29.13
17          3.058       2.95        1.50670        70.48
18*       -27.236      （可変）
19*       -19.053       0.60        1.53071        55.69
20*         5.481      （可変）
21*        12.240       2.90        1.53071        55.69
22*        -9.810       0.60
23          ∞          0.80        1.51633        64.14
24          ∞          2.17
像面（撮像面）∞
非球面データ
第５面
k=0.000
A4=-1.33845e-04,A6=-4.38033e-06,A8=1.74779e-07,A10=-3.45325e-09
第６面
k=0.000
A4=1.78647e-04,A6=-3.90166e-06,A8=1.64975e-07,A10=-3.15774e-09
第７面
k=0.000
A4=9.30133e-04,A6=-7.55140e-05,A8=-8.82412e-07,A10=9.03479e-08
第８面
k=0.000
A4=-9.10768e-04,A6=5.68096e-05,A8=-6.37103e-06,A10=-5.42047e-07
第１１面
k=0.000
A4=-2.15456e-03,A6=7.25939e-05,A8=9.43097e-06,A10=-3.99105e-07
第１２面
k=0.000
A4=-1.12076e-03,A6=7.36307e-06,A8=7.46212e-06
第１４面
k=0.000
A4=-5.52046e-04,A6=-1.13281e-05
第１５面
k=0.000
A4=8.27756e-04,A6=-1.59393e-05,A8=7.53204e-07
第１８面
k=0.000
A4=-1.13944e-03,A6=5.39936e-05,A8=-1.12183e-05
第１９面
k=0.000
A4=-2.80342e-03,A6=2.05341e-04
第２０面
k=0.000
A4=-2.22654e-03,A6=1.32701e-04
第２１面
k=0.000
A4=-6.73442e-05
第２２面
k=0.000
A4=-1.11186e-05
ズームデータ
広角      中間      望遠
ｆ              3.91      8.54     18.80
ＦＮＯ．        4.01      5.09      5.85
２ω           89.57     47.44     22.08
ＩＨ            3.25      3.86      3.86
ＦＢ(in air)    3.30      3.30      3.30
全長(in air)   51.26     51.26     51.26
d6             0.50      4.11      8.76
d12             9.26      5.65      1.00
d13             5.76      2.26      0.90
d18             1.68      3.14      4.36
d20             1.44      3.48      3.62
群焦点距離
f1=12.67     f2=-6.98      f3=8.75     f4=-7.95     f5=10.75
【０１８３】
数値実施例２
単位ｍｍ
面データ
面番号       r           d             nd           νd
物面        ∞           ∞
1       6181.608       0.50        2.00100        29.13
2          9.966       2.15
3          ∞          8.10        1.92286        20.88
4          ∞          0.15
5*        12.086       2.84        1.61881        63.85
6*       -11.596      （可変）
7*       -15.573       0.49        1.74320        49.29
8*         5.199       1.10
9        -75.708       0.50        1.69680        55.53
10         19.492       0.20
11*         9.192       1.19        1.82115        24.06
12*       296.829      （可変）
13（絞り）  ∞         （可変）
14*         6.476       2.60        1.61881        63.85
15*       -13.494       2.36
16         10.901       0.40        2.00100        29.13
17          3.587       2.77        1.49710        81.56
18*       -44.262      （可変） 
19        -27.230       0.40        1.78590        44.20
20          7.207      （可変）
21*        16.474       2.98        1.53071        55.69
22*        -7.572       2.18
23          ∞          0.80        1.51633        64.14
24          ∞          0.94 
像面（撮像面）∞
非球面データ
第５面
k=0.000
A4=-1.89595e-04,A6=1.80336e-06,A8=-6.11145e-08,A10=5.37248e-10
第６面
k=0.000
A4=8.72575e-05,A6=2.26896e-06,A8=-7.32667e-08,A10=8.18844e-10
第７面
k=0.000
A4=1.12197e-03,A6=-5.10784e-05,A8=-2.79168e-06,A10=1.16978e-07
第８面
k=0.000
A4=-2.58679e-04,A6=8.28937e-05,A8=7.25167e-06,A10=-1.50418e-06
第１１面
k=0.000
A4=-1.50684e-03,A6=3.27739e-05,A8=2.14545e-05,A10=-7.98449e-07
第１２面
k=0.000
A4=-1.00574e-03,A6=-2.22312e-05,A8=1.39239e-05
第１４面
k=0.000
A4=-5.89917e-04,A6=-7.24150e-06
第１５面
k=0.000
A4=3.19972e-04,A6=-7.84875e-06,A8=2.86898e-07
第１８面
k=0.000
A4=-1.33060e-04,A6=7.97010e-06,A8=-5.84876e-06
第２１面
k=0.000
A4=5.82829e-04
第２２面
k=0.000
A4=1.65960e-03
ズームデータ
広角      中間      望遠
ｆ              3.91      8.54     18.80
ＦＮＯ．        4.03      5.08      5.43
２ω           89.35     45.25     20.82
ＩＨ            3.25      3.86      3.86
ＦＢ(in air)    3.65      3.65      3.65
全長(in air)   51.49     51.49     51.49
d6             0.50      4.44      9.93
d12            10.33      6.39      0.90
d13             5.13      1.62      0.90
d18             1.51      2.70      3.26
d20             1.64      3.96      4.12
群焦点距離
f1=13.51     f2=-7.44      f3=8.55     f4=-7.21     f5=10.21
【０１８４】
数値実施例３
単位ｍｍ
面データ
面番号       r           d             nd           νd
物面        ∞           ∞
1          ∞          0.50        2.00100        29.13
2          9.680       1.97
3          ∞          8.10        1.92286        20.88
4          ∞          0.15
5*        11.430       2.83        1.61881        63.85
6*       -11.133      （可変）
7*       -24.279       0.50        1.85370        40.58
8*         4.179       1.26
9*        14.302       1.78        2.10300        18.05
10*      4710.816      （可変）
11（絞り）  ∞         （可変）
12*         6.409       2.44        1.61881        63.85
13*       -13.508       2.39
14         29.992       0.40        2.00100        29.13
15          4.349       2.39        1.48749        70.23
16         -8.597      （可変）
17        -20.612       0.40        1.78590        44.20
18          7.299      （可変）
19*        11.030       3.09        1.53071        55.69
20*        -9.161       2.00
21          ∞          0.80        1.51633        64.14
22          ∞          0.94
像面（撮像面）∞
非球面データ
第５面
k=0.000
A4=-1.79432e-04,A6=-4.29538e-07,A8=1.90394e-08,A10=-4.62468e-10
第６面
k=0.000
A4=1.46758e-04,A6=1.73874e-07
第７面
k=0.000
A4=-1.45072e-04,A6=-4.84437e-05,A8=-2.95716e-08,A10=4.62249e-08
第８面
k=0.000
A4=-1.78443e-03,A6=2.94906e-05,A8=-1.40099e-05,A10=2.03050e-09
第９面
k=0.000
A4=-9.30675e-04,A6=7.17812e-05,A8=8.73913e-07,A10=-2.09447e-07
第１０面
k=0.000
A4=-1.09602e-03,A6=3.04657e-05,A8=-1.22498e-07
第１２面
k=0.000
A4=-4.30124e-04,A6=2.72025e-06
第１３面
k=0.000
A4=6.52400e-04,A6=-3.16143e-06,A8=3.85219e-07
第１９面
k=0.000
A4=1.58687e-04,A6=7.76641e-06,A8=-1.05484e-07
第２０面
k=0.000
A4=1.20347e-03,A6=-4.02664e-06,A8=1.03124e-07
ズームデータ
広角      中間      望遠
ｆ              3.82      8.37     18.35
ＦＮＯ．        3.86      4.91      5.49
２ω           90.43     46.27     21.49
ＩＨ            3.24      3.86      3.86
ＦＢ(in air)    3.47      3.47      3.47
全長(in air)   51.25     51.25     51.25
d6             0.50      4.00      8.99
d10             9.39      5.89      0.90
d11             5.84      1.93      0.90
d16             2.40      3.59      4.20
d18             1.45      4.17      4.59
群焦点距離
f1=12.58     f2=-7.12      f3=8.76     f4=-6.82      f5=9.96
【０１８５】
数値実施例４
単位ｍｍ
面データ
面番号       r           d             nd           νd
物面        ∞           ∞
1          ∞          0.50        2.00100        29.13
2          9.311       2.03
3          ∞          8.10        1.92286        20.88
4          ∞          0.15
5*        11.656       2.85        1.61881        63.85
6*       -10.536      （可変）
7*       -31.340       0.50        1.85075        40.16
8*         4.033       1.25
9*        15.621       1.14        2.10300        18.05
10*      -299.752      （可変）
11（絞り）  ∞         （可変）
12*         6.392       3.09        1.61881        63.85
13*       -12.550       2.31
14         64.852       0.40        2.00100        29.13
15          4.550       3.43        1.48749        70.23
16         -7.461      （可変）
17        -12.468       0.40        1.78590        44.20
18          8.860      （可変）
19*        10.575       3.00        1.53071        55.69
20*        -8.065       1.98
21          ∞          0.80        1.51633        64.14
22          ∞          0.92
像面（撮像面）∞
非球面データ
第５面
k=0.000
A4=-1.50197e-04,A6=-8.51991e-07,A8=1.09609e-08,A10=-3.86917e-10
第６面
k=0.000
A4=1.98782e-04,A6=-4.19557e-07
第７面
k=0.000
A4=-1.83870e-03,A6=9.71472e-05,A8=-7.12997e-06,A10=2.11448e-07
第８面
k=0.000
A4=-3.21370e-03,A6=3.11120e-05,A8=-1.24058e-05,A10=-1.65452e-08
第９面
k=0.000
A4=-7.98548e-04,A6=6.00564e-06,A8=3.50746e-07,A10=-7.70670e-08
第１０面
k=0.000
A4=-1.26595e-03,A6=9.71283e-08,A8=-9.28803e-09
第１２面
k=0.000
A4=-3.65084e-04,A6=4.50026e-06
第１３面
k=0.000
A4=8.45812e-04,A6=-2.79446e-06,A8=5.95940e-07
第１９面
k=0.000
A4=8.47209e-04,A6=-2.16855e-05,A8=-1.20990e-07
第２０面
k=0.000
A4=2.82969e-03,A6=-6.11240e-05,A8=1.16675e-07
ズームデータ
広角      中間      望遠
ｆ              3.82      8.37     18.35
ＦＮＯ．        3.95      5.09      5.57
２ω           90.17     45.66     21.19
ＩＨ            3.24      3.86      3.86
ＦＢ(in air)    3.43      3.43      3.43
全長(in air)   51.34     51.34     51.34
d6             0.50      4.33      9.29
d10             9.69      5.86      0.90
d11             5.23      1.75      0.90
d16             2.36      3.76      3.95
d18             0.98      3.06      3.72
群焦点距離
f1=12.05     f2=-7.03      f3=9.21     f4=-6.54      f5=9.13
【０１８６】
数値実施例５
単位ｍｍ
面データ
面番号       r           d             nd           νd
物面        ∞           ∞
1     -99567.235       0.50        2.00100        29.13
2          9.312       2.04
3          ∞          8.10        1.92286        20.88
4          ∞          0.20
5*        12.455       2.85        1.61881        63.85
6*       -10.274      （可変）
7*       -71.265       0.50        1.85075        40.16
8*         4.512       1.11
9         24.488       1.90        1.84666        23.78
10         -6.924       0.50        1.80610        40.88
11*     -1027.764      （可変）
12（絞り）  ∞         （可変）
13*         6.161       2.20        1.61881        63.85
14*       -14.534       2.33
15         24.464       0.50        2.00100        29.13
16          4.100       3.10        1.51633        64.14
17         -9.936      （可変）
18        -16.401       0.40        1.80610        40.92
19          7.156      （可変）
20*        10.527       3.00        1.53071        55.69
21*        -8.654       1.98
22          ∞          0.80        1.51633        64.14
23          ∞          0.91
像面（撮像面）∞
非球面データ
第５面
k=0.000
A4=-1.14157e-04,A6=-1.06973e-06,A8=3.48137e-08,A10=-4.73170e-10
第６面
k=0.000
A4=2.14980e-04,A6=-5.81892e-07,A8=1.89136e-08
第７面
k=0.000
A4=-1.37355e-03,A6=3.80725e-05,A8=-3.71709e-06,A10=1.23109e-07
第８面
k=0.000
A4=-1.39480e-03,A6=1.07385e-05,A8=-1.04870e-05,A10=2.59529e-07
第１１面
k=0.000
A4=-9.67484e-04,A6=-8.06696e-06
第１３面
k=0.000
A4=-4.08137e-04,A6=3.32884e-06
第１４面
k=0.000
A4=6.61170e-04,A6=4.54484e-06
第２０面
k=0.000
A4=7.76209e-04,A6=-1.13820e-05,A8=8.78426e-08
第２１面
k=0.000
A4=2.36390e-03,A6=-3.72524e-05,A8=2.91395e-07
ズームデータ
広角      中間      望遠
ｆ              3.82      8.37     18.34
ＦＮＯ．        3.95      5.30      5.81
２ω           90.42     45.68     21.16
ＩＨ            3.24      3.86      3.86
ＦＢ(in air)    3.42      3.42      3.42
全長(in air)   51.87     51.87     51.87
d6             0.45      4.21      9.17
d11             9.62      5.86      0.90
d12             5.16      1.71      0.90
d17             2.36      3.86      4.89
d19             1.63      3.58      3.36
群焦点距離
f1=12.33     f2=-6.69      f3=8.66     f4=-6.13      f5=9.46
【０１８７】
数値実施例６
単位ｍｍ
面データ
面番号       r           d             nd           νd
物面        ∞           ∞
1          ∞          0.50        2.00100        29.13
2         10.044       2.01
3          ∞          8.10        1.92286        20.88
4          ∞          0.20
5*        12.083       2.79        1.61881        63.85
6*       -10.867      （可変）
7*       -20.570       0.50        1.85075        40.16
8*         4.688       1.20
9         23.358       1.77        1.84666        23.78
10         -7.982       0.50        1.80610        40.88
11*       -49.610      （可変）
12（絞り）  ∞         （可変）
13*         6.353       2.25        1.61881        63.85
14*       -14.273       2.60
15         27.579       0.50        2.00100        29.13
16          4.100       3.17        1.51633        64.14
17         -9.550      （可変）
18        -12.193       0.40        1.80610        40.92
19          7.703      （可変）
20*        10.352       3.00        1.53071        55.69
21*        -7.215       1.98
22          ∞          0.80        1.51633        64.14
23          ∞          0.93
像面（撮像面）∞
非球面データ
第５面
k=0.000
A4=-1.17729e-04,A6=-7.82163e-07,A8=1.72488e-08,A10=-5.79768e-10
第６面
k=0.000
A4=2.00799e-04,A6=-4.57801e-07,A8=2.98894e-11
第７面
k=0.000
A4=-2.47459e-04,A6=-8.37207e-06,A8=-1.84912e-06,A10=8.11537e-08
第８面
k=0.000
A4=-7.21815e-04,A6=2.51719e-05,A8=-1.13482e-05,A10=3.43610e-07
第１１面
k=0.000
A4=-6.72712e-04,A6=-2.17526e-05
第１３面
k=0.000
A4=-4.25770e-04,A6=-4.46440e-06
第１４面
k=0.000
A4=5.47621e-04,A6=-3.96883e-06
第２０面
k=0.000
A4=5.43640e-04,A6=-2.02382e-05,A8=5.45259e-07
第２１面
k=0.000
A4=2.36390e-03,A6=-5.96731e-05,A8=1.32792e-06
ズームデータ
広角      中間      望遠
ｆ              3.82      8.37     18.35
ＦＮＯ．        3.64      5.33      5.83
２ω           90.34     45.71     21.15
ＩＨ            3.24      3.86      3.86
ＦＢ(in air)    3.44      3.44      3.44
全長(in air)   51.85     51.85     51.85
d6             0.45      4.04      9.07
d11             9.52      5.93      0.90
d12             5.50      1.73      0.90
d17             2.40      3.89      4.80
d19             1.05      3.33      3.25
群焦点距離
f1=12.62     f2=-6.82      f3=8.93     f4=-5.80      f5=8.52
【０１８８】
以上の実施例１〜６の収差図を、それぞれ図７〜図１２に示す。いずれも、無限遠物体合焦時の収差図である。また、各図中、”ＦＩＹ”は、撮像素子をシフト移動させて手ブレによる像ブレを低減させることを前提にし、像高ＩＨに０．２ｍｍを加えたときの像高を示す。
【０１８９】
これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示す。
【０１９０】
また、（ｅ）、（ｇ）、（ｇ）、（ｈ）は、それぞれ、中間焦点距離状態における球面収差（ＳＡ）、非点収差（ＡＳ）、歪曲収差（ＤＴ）、倍率色収差（ＣＣ）を示す。
【０１９１】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示す。
【０１９２】
次に、各実施例における条件式（１）〜（１５）の値を掲げる。なお、-（ハイフン）は該当する構成がないことを示す。
実施例１    実施例２    実施例３
(1) ft/fw                          4.81        4.81        4.8
(2) |D1N/D2P|                      1.7         2.231       1.718
(3) |f2P/D2P|                      1.801       2.022       1.773
(4) |D1NS/D2PS|                    1.7         2.231       1.718
(5) D1PN1PP/f1P                    0.821       0.769       0.813
(6) ν1NP                         24.74       24.06       18.05
(7) |f1Po|×f1Pi/IHt2              6.497       6.708       6.214
(8) tanωw-(Lpri/Lw)               0.834       0.832       0.85
(9) DT/(f1Po/IHt)                  6.253       6.147       6.31
(10)|(f1Po/IHt)×(f1P/IHt)/tanωw| 8.532       9.143       8.096
(11)|(f1Po/fw)×(f1P/fw)|          8.25        8.816       8.334
(12)|(f1Po/IHt)/(tanωw)2|         2.619       2.64        2.465
(13)(Lpri/IHt)×(fw/IHt)/tanωw    2.142       2.149       2.06
(14)|f1Po/IHt|                     2.578       2.584       2.505
(15)ωw                           44.775      44.693      45.233
実施例４    実施例５    実施例６
(1) ft/fw                          4.8         4.8         4.8
(2) |D1N/D2P|                      2.03        2.048       1.873
(3) |f2P/D2P|                      2.127       2.035       1.94
(4) |D1NS/D2PS|                    2.03        2.048       1.873
(5) D1PN1PP/f1P                    0.85        0.839       0.817
(6) ν1NP                         18.05          -           -
(7) |f1Po|×f1Pi/IHt2              5.871       5.966       6.53
(8) tanωw-(Lpri/Lw)               0.844       0.85        0.85
(9) DT/(f1Po/IHt)                  6.344       6.495       6.009
(10)|(f1Po/IHt)×(f1P/IHt)/tanωw| 7.505       7.647       8.4465
(11)|(f1Po/fw)×(f1P/fw)|          7.679       7.858       8.675
(12)|(f1Po/IHt)/(tanωw)2|         2.4         2.38        2.569
(13)(Lpri/IHt)×(fw/IHt)/tanωw    2.073       2.064       2.064
(14)|f1Po/IHt|                     2.41        2.41        2.599
(15)ωw                           45.057      45.18       45.169
【０１９３】
（光路折り曲げ式デジタルカメラ）
さて、以上のような本発明のズームレンズは、このズームレンズで形成した像をＣＣＤ等の電子撮像素子に受光させて撮影を行う電子撮影装置、とりわけデジタルカメラやビデオカメラ等に用いることができる。以下に、その実施形態を例示する。
【０１９４】
図１４〜図１６は、本発明によるズームレンズを、デジタルカメラの撮影光学系１４１に組み込んだ構成の概念図を示す。図１４はデジタルカメラ１４０の外観を示す前方斜視図、図１５は同後方斜視図、図１６はデジタルカメラ１４０の構成を示す断面図である。
【０１９５】
デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７等を含む。そして、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、近赤外カットフィルターと光学的ローパスフィルタＦを介してＣＣＤ１４９の撮像面上に形成される。
【０１９６】
このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１９７】
さらに、ファインダー用光路１４４上には、ファインダー用対物光学系１５３が配置してある。このファインダー用対物光学系１５３によって形成された物体像は、像正立部材であるポロプリズム１５５の視野枠１５７上に形成される。このポリプリズム１５５の後方には、正立正像にされた像を観察者眼球Ｅに導く接眼光学系１５９が配置されている。なお、撮影光学系１４１及びファインダー用対物光学系１５３の入射側、接眼光学系１５９の射出側にそれぞれカバー部材１５０が配置されている。
【０１９８】
このように構成されたデジタルカメラ１４０は、撮影光学系１４１が高変倍比で、広角端における画角が広いズームレンズであるので、高性能で、奥行き方向が極めて薄い安価なデジタルカメラが実現できる。
【０１９９】
なお、図１６例では、カバー部材１５０として平行平面板を配置しているが、省いてもよい。
【０２００】
（内部回路構成）
図１６は、デジタルカメラ１４０の主要部の内部回路の構成ブロック図である。なお、以下の説明では、前述した処理手段は、例えばＣＤＳ／ＡＤＣ部１２４、一時記憶メモリ１１７、画像処理部１１８等からなり、記憶手段は、記憶媒体部１１９で構成される。
【０２０１】
図１６に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０２０２】
上記の一時記憶メモリ１１７、画像処理部１１８、記憶媒体部１１９、表示部１２０、及び設定情報記憶メモリ部１２１は、バス１２２を介して相互にデータの入力、出力が可能とされている。また、撮像駆動回路１１６には、ＣＣＤ１４９とＣＤＳ／ＡＤＣ部１２４が接続されている。
【０２０３】
操作部１１２は、各種の入力ボタンやスイッチを備え、これらを介して外部（カメラ使用者）から入力されるイベント情報を制御部１１３に通知する。制御部１１３は、例えばＣＰＵなどからなる中央演算処理装置であって、不図示のプログラムメモリを内蔵し、プログラムメモリに格納されているプログラムにしたがって、デジタルカメラ１４０全体を制御する。
【０２０４】
ＣＣＤ１４９は、撮像駆動回路１１６により駆動制御され、撮像光学系１４１を介して形成された物体像の画素ごとの光量を電気信号に変換し、ＣＤＳ／ＡＤＣ部１２４に出力する撮像素子である。
【０２０５】
ＣＤＳ／ＡＤＣ部１２４は、ＣＣＤ１４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１１７に出力する回路である。
【０２０６】
一時記憶メモリ１１７は、例えばＳＤＲＡＭ等からなるバッファであり、ＣＤＳ／ＡＤＣ部１２４から出力されるＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０２０７】
記録媒体部１１９は、例えばフラッシュメモリ等からなるカード型又はスティック型の記録媒体を着脱自在に装着して、これらのフラッシュメモリに、一時記憶メモリ１１７から転送されるＲＡＷデータや画像処理部１１８で画像処理された画像データを記録して保持する。
【０２０８】
表示部１２０は、液晶表示モニター１４７などにて構成され、撮影したＲＡＷデータ、画像データや操作メニューなどを表示する。設定情報記憶メモリ部１２１には、予め各種の画質パラメータが格納されているＲＯＭ部と、操作部１１２の入力操作によってＲＯＭ部から読み出された画質パラメータを記憶するＲＡＭ部が備えられている。設定情報記憶メモリ部１２１は、それらのメモリへの入出力を制御する回路である。
【産業上の利用可能性】
【０２０９】
以上のように、本発明にかかるズームレンズ及びそれを備えた撮像装置は、広画角化と高変倍比化が両立され、且つ、諸収差が良好に補正されたズームレンズを備えた撮像装置の光学系に適している。
【符号の説明】
【０２１０】
Ｇ１…第１レンズ群
Ｇ２…第２レンズ群
Ｇ３…第３レンズ群
Ｇ４…第４レンズ群
Ｇ５…第５レンズ群
Ｓ…明るさ（開口）絞り
Ｆ…ローパスフィルタ
Ｃ…カバーガラス
Ｐ…プリズム
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
【図１】
2014174526.tif 000003
【図２】
2014174526.tif 000004
【図３】
2014174526.tif 000005
【図４】
2014174526.tif 000006
【図５】
2014174526.tif 000007
【図６】
2014174526.tif 000008
【図７】
2014174526.tif 000009
【図８】
2014174526.tif 000010
【図９】
2014174526.tif 000011
【図１０】
2014174526.tif 000012
【図１１】
2014174526.tif 000013
【図１２】
2014174526.tif 000014
【図１３】
2014174526.tif 000015
【図１４】
2014174526.tif 000016
【図１５】
2014174526.tif 000017
【図１６】
2014174526.tif 000018
【図１７】
2014174526.tif 000019